(57)【特許請求の範囲】
【請求項１】
有色の有色トナー及び無色のクリアトナーがそれぞれ１以上搭載され、前記有色トナーを付着させるための有色版データと前記クリアトナーを付着させるためのクリアトナー版データとに基づいて記録媒体に画像を形成する印刷装置を制御する印刷制御装置であって、
前記記録媒体に付与する視覚的または触覚的な効果である表面効果の種類と前記表面効果を付与する前記記録媒体における領域を特定するための光沢制御値が指定された光沢制御版データと、前記表面効果以外の透明画像を特定する濃度値が指定されたクリア版データとに基づいて、前記クリアトナー版データを生成する生成部と、
生成された前記クリアトナー版データを出力する出力部と、を備え、
前記生成部は、前記光沢制御版データに光沢制御値が指定された領域と、前記クリア版データで前記濃度値が指定された領域とが重なる場合には、所定の条件に基づいて、前記光沢制御版データで指定された前記光沢制御値、前記クリア版データで指定された前記濃度値のいずれか一方を前記クリアトナー版データに設定することを特徴とする印刷制御装置。
【請求項２】
前記光沢制御版データ、前記クリア版データのいずれの版データを優先するかを指定した版優先情報を取得する取得部と、
前記光沢制御版データに前記光沢制御値が指定された領域と、前記クリア版データで前記濃度値が指定された領域との重なり範囲を判定する判定部と、をさらに備え、
前記生成部は、前記重なり範囲において、前記版優先情報で指定された前記版データに基づき、前記クリアトナー版データを生成すること、
を特徴とする請求項１に記載の印刷制御装置。
【請求項３】
前記生成部は、前記版優先情報で前記光沢制御版データを優先すると指定されている場合には、前記重なり範囲に、前記光沢制御版データの前記重なり範囲に指定された前記光沢制御値を設定して、前記クリアトナー版データを生成し、前記版優先情報で前記クリア版データを優先すると指定されている場合には、前記重なり範囲に、前記クリア版データの前記重なり範囲に指定された前記濃度値を設定して、前記クリアトナー版データを生成すること、
を特徴とする請求項２に記載の印刷制御装置。
【請求項４】
前記版優先情報は、前記光沢制御版データに指定可能な一または複数の前記表面効果と、前記クリア版データとの間の優先順位が定められ、
前記生成部は、前記重なり範囲において、前記版優先情報で定められた前記優先順位に基づいて前記表面効果の前記光沢制御値または前記濃度値を選択して設定して、前記クリアトナー版データを生成すること、
を特徴とする請求項２に記載の印刷制御装置。
【請求項５】
前記版優先情報には、複数の前記優先順位が定められ、
前記生成部は、前記重なり範囲において、前記版優先情報で定められた複数の優先順位のうち、ユーザにより指定された前記優先順位に基づいて前記表面効果の前記光沢制御値または前記濃度値を選択して設定して、前記クリアトナー版データを生成すること、
を特徴とする請求項４に記載の印刷制御装置。
【請求項６】
前記版優先情報は、領域ごとに、前記光沢制御版データ、前記クリア版データのいずれの版データを優先するかが指定され、
前記生成部は、前記重なり範囲において、前記版優先情報で前記領域に対して指定された前記版データに基づき、前記クリアトナー版データを生成すること、
を特徴とする請求項２に記載の印刷制御装置。
【請求項７】
情報処理装置と、印刷装置と、前記印刷装置と前記情報処理装置とにネットワークで接続され、前記印刷装置を制御する印刷制御装置と、を備えた印刷システムであって、
前記情報処理装置は、
入力される画像データに対して、色の指定と、視覚的または触覚的な効果である表面効果の種類と前記表面効果を付与する領域の指定とをユーザから受け付ける入力部と、
ユーザからの指定に基づいて、記録媒体に有色の有色トナーを付着させるための有色版データと、前記記録媒体に無色のクリアトナーを付着させるための１以上のクリアトナー版データを生成するためのデータであって、前記記録媒体に付与する前記表面効果の種類と前記表面効果を付与する前記記録媒体における領域とを特定するための光沢制御値が指定された光沢制御版データと、前記表面効果以外の透明画像を特定する濃度値が指定されたクリア版データとを生成する第１生成部と、
前記有色版データと前記光沢制御版データと前記クリア版データとを、前記印刷制御装置に送信する第１送信部と、を備え、
前記印刷制御装置は、
前記光沢制御版データと、前記クリア版データとに基づいて、前記クリアトナー版データを生成する第２生成部と、
生成された前記クリアトナー版データを前記印刷装置に出力する第２送信部と、を備え、
前記第２生成部は、前記光沢制御版データに前記光沢制御値が指定された領域と、前記クリア版データで前記濃度値が指定された領域とが重なる場合には、所定の条件に基づいて、前記光沢制御版データで指定された前記光沢制御値、前記クリア版データで指定された前記濃度値のいずれか一方を前記クリアトナー版データに設定し、
前記印刷装置は、
前記有色トナー及び前記クリアトナーがそれぞれ１以上搭載され、前記有色版データと前記クリアトナー版データとに基づいて前記記録媒体に画像を形成する画像形成部、
を備えたことを特徴とする印刷システム。
【請求項８】
前記入力部は、前記光沢制御版データ、前記クリア版データのいずれの版データを優先するかを指定した版優先情報の入力を受付け、
前記第１送信部は、前記版優先情報を前記印刷制御装置に送信し、
前記印刷制御装置は、
前記光沢制御版データに前記光沢制御値が指定された領域と、前記クリア版データで前記濃度値が指定された領域との重なり範囲を判定する判定部、をさらに備え、
前記第２生成部は、前記重なり範囲において、前記版優先情報で指定された前記版データに基づき、前記クリアトナー版データを生成すること、
を特徴とする請求項７に記載の印刷システム。
【請求項９】
前記版優先情報は、前記光沢制御版データに指定可能な一または複数の前記表面効果と、前記クリア版データとの間の優先順位が複数定められ、
前記入力部は、複数の優先順位のうち、ユーザから所望の優先順位の指定を受付け、
前記第２生成部は、前記重なり範囲において、前記版優先情報で定められた複数の優先順位のうち、ユーザにより指定された前記優先順位に基づいて前記表面効果の前記光沢制御値または前記濃度値を選択して設定して、前記クリアトナー版データを生成すること、
を特徴とする請求項８に記載の印刷システム。
【請求項１０】
前記入力部は、前記版優先情報として、領域の指定と、前記領域に対応して、前記光沢制御版データ、前記クリア版データのいずれの版データを優先するかの指定を受付け、
前記第２生成部は、前記重なり範囲において、前記版優先情報で前記領域に対して指定された前記版データに基づき、前記クリアトナー版データを生成すること、
を特徴とする請求項９に記載の印刷システム。
【請求項１１】
有色の有色トナー及び無色のクリアトナーがそれぞれ１以上搭載され、前記有色トナーを付着させるための有色版データと前記クリアトナーを付着させるためのクリアトナー版データとに基づいて記録媒体に画像を形成する印刷装置を制御する印刷制御装置で実行される印刷制御方法であって、
前記記録媒体に付与する視覚的または触覚的な効果である表面効果の種類と前記表面効果を付与する前記記録媒体における領域を特定するための光沢制御値が指定された光沢制御版データと、前記表面効果以外の透明画像を特定する濃度値が指定されたクリア版データとに基づいて、前記クリアトナー版データを生成する生成ステップと、
生成された前記クリアトナー版データを出力する出力ステップと、を含み、
前記生成ステップは、前記光沢制御版データに前記光沢制御値が指定された領域と、前記クリア版データで前記濃度値が指定された領域とが重なる場合には、所定の条件に基づいて、前記光沢制御版データで指定された前記光沢制御値、前記クリア版データで指定された前記濃度値のいずれか一方を前記クリアトナー版データに設定する、
ことを特徴とする印刷制御方法。
【請求項１２】
有色の有色トナー及び無色のクリアトナーがそれぞれ１以上搭載され、前記有色トナーを付着させるための有色版データと前記クリアトナーを付着させるためのクリアトナー版データとに基づいて記録媒体に画像を形成する印刷装置を制御するコンピュータに実行させるためのプログラムであって、
前記記録媒体に付与する視覚的または触覚的な効果である表面効果の種類と前記表面効果を付与する前記記録媒体における領域を特定するための光沢制御値が指定された光沢制御版データと、前記表面効果以外の透明画像を特定する濃度値が指定されたクリア版データとに基づいて、前記クリアトナー版データを生成する生成ステップと、
生成された前記クリアトナー版データを出力する出力ステップと、を前記コンピュータに実行させ、
前記生成ステップは、前記光沢制御版データに前記光沢制御値が指定された領域と、前記クリア版データで前記濃度値が指定された領域とが重なる場合には、所定の条件に基づいて、前記光沢制御版データで指定された前記光沢制御値、前記クリア版データで指定された前記濃度値のいずれか一方を前記クリアトナー版データに設定する、
ことを特徴とするプログラム。
【発明の詳細な説明】
【技術分野】
【０００１】
本発明は、印刷制御装置、印刷システム、印刷制御方法およびプログラムに関する。
【背景技術】
【０００２】
カラー印刷において目的とするＣ（シアン）、Ｍ（マゼンタ）、Ｙ（イエロー）、Ｋ（ブラック）等に有色の有色トナーによる有色画像に、コーポレートロゴなどを、目的の有色画像を損なわず、かつ目立たずに重畳させる印刷が行われることがある。このように、重畳するロゴ等を目立たないようにするためには、無色透明のクリアトナーを用い、かつ光沢を持たせることで色彩を有さない視認性が得られるように印刷を実現している。このような重畳する画像を、ウォーターマークと呼ぶ。
【０００３】
一方、印刷物の本来の目的とする画像は、黒や有色の画像であるが、これに部分的に光沢効果を持たせる、もしくは逆につや消しの効果を持たせて印刷を行う場合がある。このような表面効果を付与する場合においてもクリアトナーが用いられる。トナーの付着量が領域一定となれば表面に光沢が得られるが、ＣＭＹＫトナーのみではそれが領域一定とならない場合、クリアトナーを用い、トナー量が領域一定となるように必要な量だけ付加して表面に光沢を持たせることができる。
【０００４】
トナーの付着量が均一でないために光沢が得られない領域に対して、クリアトナーを用いることで光沢を得る技術が従来から知られている。例えば、特許文献１には、光沢を持たせたい領域に均一の透明トナー（クリアトナー）による像を形成することにより光沢調を実現する技術が開示されている。
【０００５】
逆にトナーの付着量を意図的に領域不均一にするために凸凹となるようにクリアトナーを、ＣＭＹＫ等の有色トナーに対して付加することにより、つや消し効果を持たせることができる。
【０００６】
上述のコーポレートロゴなどは、本来の目的の有色画像とは独立しており、単調にセルパターンとして繰り返し一面に展開するような場合が多く、印刷物の本来の目的とする有色画像とは無関係に配置されることが多い。このため、本来の有色画像とコーポレートロゴが重なる部分が生じやすく、上述の２種類のクリアトナーの使用法が競合することになる。
【発明の概要】
【発明が解決しようとする課題】
【０００７】
しかしながら、有色画像の任意の領域に対してつや消しの効果を求め、かつコーポレートロゴの一部が重なる場合、コーポレートロゴを犠牲にし有色画像の効果を優先するか、有色画像の効果を犠牲にし、コーポレートロゴを優先するかの判断が必要になる。すなわち、光沢のある透明の画像の領域と、有色画像に対する光沢／つや消し領域等とが重なる領域に対するクリアトナーの塗布方法に関する排他制御を行うことが望まれている。
【０００８】
本発明は、上記に鑑みてなされたものであって、光沢のある透明画像の領域と、有色画像に対する表面効果が重なる領域において、クリアトナーの塗布方法の排他制御を効果的に実現することができる印刷制御装置、印刷システム、印刷制御方法およびプログラムを提供することを目的とする。
【課題を解決するための手段】
【０００９】
上述した課題を解決し、目的を達成するために、本発明にかかる印刷制御装置は、有色の有色トナー及び無色のクリアトナーがそれぞれ１以上搭載され、前記有色トナーを付着させるための有色版データと前記クリアトナーを付着させるためのクリアトナー版データとに基づいて記録媒体に画像を形成する印刷装置を制御する印刷制御装置であって、前記記録媒体に付与する視覚的または触覚的な効果である表面効果の種類と前記表面効果を付与する前記記録媒体における領域を特定するための光沢制御値が指定された光沢制御版データと、前記表面効果以外の透明画像を特定する濃度値が指定されたクリア版データとに基づいて、前記クリアトナー版データを生成する生成部と、生成された前記クリアトナー版データを出力する出力部と、を備え、前記生成部は、前記光沢制御版データに前記光沢制御値が指定された領域と、前記クリア版データで前記濃度値が指定された領域とが重なる場合には、所定の条件に基づいて、前記光沢制御版データで指定された前記光沢制御値、前記クリア版データで指定された前記濃度値のいずれか一方を前記クリアトナー版データに設定することを特徴とする。
【００１０】
また、本発明にかかる印刷システムは、情報処理装置と、印刷装置と、前記印刷装置と前記情報処理装置とにネットワークで接続され、前記印刷装置を制御する印刷制御装置と、を備えた印刷システムであって、前記情報処理装置は、入力される画像データに対して、色の指定と、視覚的または触覚的な効果である表面効果の種類と前記表面効果を付与する領域の指定とをユーザから受け付ける入力部と、ユーザからの指定に基づいて、記録媒体に有色の有色トナーを付着させるための有色版データと、前記記録媒体に無色のクリアトナーを付着させるための１以上のクリアトナー版データを生成するためのデータであって、前記記録媒体に付与する前記表面効果の種類と前記表面効果を付与する前記記録媒体における領域とを特定するための光沢制御値が指定された光沢制御版データと、前記表面効果以外の透明画像を特定する濃度値が指定されたクリア版データとを生成する第１生成部と、前記有色版データと前記光沢制御版データと前記クリア版データとを、前記印刷制御装置に送信する第１送信部と、を備え、前記印刷制御装置は、前記光沢制御版データと、前記クリア版データとに基づいて、前記クリアトナー版データを生成する第２生成部と、生成された前記クリアトナー版データを前記印刷装置に出力する第２送信部と、を備え、前記第２生成部は、前記光沢制御版データに前記光沢制御値が指定された領域と、前記クリア版データで前記濃度値が指定された領域とが重なる場合には、所定の条件に基づいて、前記光沢制御版データで指定された前記光沢制御値、前記クリア版データで指定された前記濃度値のいずれか一方を前記クリアトナー版に設定し、前記印刷装置は、前記有色トナー及び前記クリアトナーがそれぞれ１以上搭載され、前記有色版データと前記クリアトナー版データとに基づいて前記記録媒体に画像を形成する画像形成部、を備えたことを特徴とする。
【００１１】
また、本発明にかかる印刷制御方法は、有色の有色トナー及び無色のクリアトナーがそれぞれ１以上搭載され、前記有色トナーを付着させるための有色版データと前記クリアトナーを付着させるためのクリアトナー版データとに基づいて記録媒体に画像を形成する印刷装置を制御する印刷制御装置で実行される印刷制御方法であって、前記記録媒体に付与する視覚的または触覚的な効果である表面効果の種類と前記表面効果を付与する前記記録媒体における領域を特定するための光沢制御値が指定された光沢制御版データと、前記表面効果以外の透明画像を特定する濃度値が指定されたクリア版データとに基づいて、前記クリアトナー版データを生成する生成ステップと、生成された前記クリアトナー版データを出力する出力ステップと、を含み、前記生成ステップは、前記光沢制御版データに前記光沢制御値が指定された領域と、前記クリア版データで前記濃度値が指定された領域とが重なる場合には、所定の条件に基づいて、前記光沢制御版データで指定された前記光沢制御値、前記クリア版データで指定された前記濃度値のいずれか一方を前記クリアトナー版データに設定することを特徴とする。
【００１２】
また、本発明にかかるプログラムは、有色の有色トナー及び無色のクリアトナーがそれぞれ１以上搭載され、前記有色トナーを付着させるための有色版データと前記クリアトナーを付着させるためのクリアトナー版データとに基づいて記録媒体に画像を形成する印刷装置を制御するコンピュータに実行させるためのプログラムであって、前記記録媒体に付与する視覚的または触覚的な効果である表面効果の種類と前記表面効果を付与する前記記録媒体における領域を特定するための光沢制御値が指定された光沢制御版データと、前記表面効果以外の透明画像を特定する濃度値が指定されたクリア版データとに基づいて、前記クリアトナー版データを生成する生成ステップと、生成された前記クリアトナー版データを出力する出力ステップと、を前記コンピュータに実行させ、前記生成ステップは、前記光沢制御版データに前記光沢制御値が指定された領域と、前記クリア版データで前記濃度値が指定された領域とが重なる場合には、所定の条件に基づいて、前記光沢制御版データで指定された前記光沢制御値、前記クリア版データで指定された前記濃度値のいずれか一方を前記クリアトナー版データに設定することを特徴とする。
【発明の効果】
【００１３】
本発明によれば、光沢のある透明画像の領域と、有色画像に対する表面効果が重なる領域において、クリアトナーの塗布方法の排他制御を効果的に実現することができるという効果を奏する。
【図面の簡単な説明】
【００１４】
【図１】図１は、実施の形態１に係る画像形成システムの構成を例示する図である。
【図２】図２は、有色版の画像データの一例を示す図である。
【図３】図３は、光沢の有無に関する表面効果の種類を例示する図である。
【図４】図４は、この光沢制御版の画像データをイメージとして示した図である。
【図５】図５は、クリア版の画像データの一例を示す図である。
【図６】図６は、実施の形態１のホスト装置の概略構成例を示すブロック図である。
【図７】図７は、画像処理アプリケーションにより表示される画面例を示す図である。
【図８】図８は、画像処理アプリケーションにより表示される画面例を示す図である。
【図９】図９は、版優先情報の設定画面の一例を示す図である。
【図１０】図１０は、濃度値選択テーブルの一例を示す図である。
【図１１】図１１は、印刷データの構成例を概念的に示す模式図である。
【図１２】図１２は、実施の形態１のホスト装置による印刷データの生成処理の手順を示すフローチャートである。
【図１３】図１３は、図４の光沢制御版の画像データにおいて、描画オブジェクト、座標、濃度値との対応関係を示す図である。
【図１４】図１４は、ＤＦＥの機能的構成を例示する図である。
【図１５】図１５は、クリアプロセッシングの機能的構成を示すブロック図である。
【図１６】図１６は、表面効果選択テーブルのデータ構成を例示する図である。
【図１７】図１７は、有色トナーの原画について光沢効果を持たせる利用の説明図である。
【図１８】図１８は、有色トナーの画像データについてつや消し効果を持たせる利用についての説明図である。
【図１９】図１９は、地紋パターン効果についての説明図である。
【図２０】図２０は、版優先情報の指定に従って重なり範囲で生成される画素データを説明するための図である。
【図２１】図２１は、版優先情報がクリア版優先である場合において、各画素のクリア版、光沢制御版の各値と、それらの情報から作成されるクリアトナー版の値の例を示す図である。
【図２２】図２２は、版優先情報が光沢制御版優先である場合において、各画素のクリア版、光沢制御版の各値と、それらの情報から作成されるクリアトナー版の値の例を示す図である。
【図２３】図２３は、ＭＩＣの構成を概念的に例示する図である。
【図２４】図２４は、画像形成システムが行う光沢制御処理の手順を示すフローチャートである。
【図２５】図２５は、実施の形態１のクリアトナー版の画像データの生成処理の手順を示すフローチャートである。
【図２６】図２６は、ホスト装置の画像処理アプリケーションで生成された透明画像、すなわちウォーターマークの画像の一例を示す図である。
【図２７】図２７は、ホスト装置の画像処理アプリケーションで生成された有色版の画像データの一例を示す図である。
【図２８】図２８は、図２６のウォーターマークに対応するクリア版の画像データを示す図である。
【図２９】図２９は、図２７に示す有色版の画像データに対して、表面効果としてつや消し効果を施す領域が指定された光沢制御版の画像データの一例を示す図である。
【図３０】図３０は、クリアトナー版の画像データの一例を示す図である。
【図３１】図３１は、図３０のクリアトナー版の画像データから得られる最終画像の図である。
【図３２】図３２は、クリアトナー版の画像データの一例を示す図である。
【図３３】図３３は、図３２のクリアトナー版の画像データから得られる最終画像の図である。
【図３４】図３４は、実施の形態２の版優先情報の詳細を示す説明図である。
【図３５】図３５は、版優先情報が「優先順位Ａ」の場合の具体的な設定例を示す図である。
【図３６】図３６は、実施の形態２のクリアトナー版の画像データの生成処理の手順を示すフローチャートである。
【図３７】図３７は、領域指定する座標の一例を示す図である。
【図３８】図３８は、実施の形態３の版優先情報の詳細を示す説明図である。
【図３９】図３９は、実施の形態３のクリアトナー版の画像データの生成処理の手順を示すフローチャートである。
【図４０】図４０は、実施の形態３の処理で出力された印刷物の一例を示す図である。
【図４１】図４１は、実施の形態４に係る画像形成システムの構成を例示する図である。
【図４２】図４２は、実施の形態４にかかるホスト装置の機能的構成を示すブロック図である。
【図４３】図４３は、実施の形態４にかかるサーバ装置の機能的構成を示すブロック図である。
【図４４】図４４は、実施の形態４のＤＦＥの機能的構成を示すブロック図である。
【図４５】図４５は、実施の形態４にかかるクリアトナー版の生成処理の全体の流れを示すシーケンス図である。
【図４６】図４６は、実施の形態４のホスト装置による処理の手順を示すフローチャートである。
【図４７】図４７は、実施の形態４にかかるサーバ装置による光沢制御版の画像データおよび印刷データの生成処理の手順を示すフローチャートである。
【図４８】図４８は、ＤＦＥによる処理の手順を示すフローチャートである。
【図４９】図４９は、サーバ装置によるクリアトナー版の生成処理の手順を示すフローチャートである。
【図５０】図５０は、クラウド上に２つのサーバ（第１サーバ装置と第２サーバ装置）を設けたネットワーク構成図である。
【図５１】図５１は、ホスト装置、サーバ装置のハードウェア構成図である。
【発明を実施するための形態】
【００１５】
以下に添付図面を参照して、この発明にかかる印刷制御装置、印刷システム、印刷制御方法およびプログラムの一実施の形態を詳細に説明する。
【００１６】
（実施の形態１）
まず、本実施の形態に係る画像形成システムの構成について図１を用いて説明する。本実施の形態においては、画像形成システムは、プリンタ制御装置（DFE:Digital  Front  End）５０（以下、「ＤＦＥ５０」という。）と、インタフェースコントローラ(MIC:Mechanism  I/F  Contoroller)６０（以下、「ＭＩＣ６０」という。）と、プリンタ機７０と、後処理機としてグロッサ８０及び低温定着機９０とが接続されて構成される。ＤＦＥ５０は、ＭＩＣ６０を介してプリンタ機７０と通信を行い、プリンタ機７０での画像の形成を制御する。また、ＤＦＥ５０には、ＰＣ(Personal  Computer)等のホスト装置１０が接続され、ＤＦＥ５０は、ホスト装置１０から画像データを受信して、当該画像データを用いて、プリンタ機７０がＣＭＹＫの各トナー及びクリアトナーに応じたトナー像を形成するための画像データを生成してこれをＭＩＣ６０を介してプリンタ機７０に送信する。プリンタ機７０には、ＣＭＹＫの各トナーとクリアトナーとが少なくとも搭載されており、各トナーに対して感光体、帯電器、現像器及び感光体クリーナを含む作像ユニット、露光器及び定着機が各々搭載されている。
【００１７】
ここで、クリアトナーとは、色材を含まない透明な（無色の）トナーである。なお、透明（無色）とは、例えば、透過率が７０％以上であることを示す。
【００１８】
プリンタ機７０は、ＭＩＣ６０を介してＤＦＥ５０から送信された画像データに応じて、露光器から光ビームを照射して各トナーに応じたトナー像を感光体上に形成して、これを記録媒体としての紙に転写しこれを定着機によって所定の範囲内の温度（通常温度）での加熱及び加圧で定着させる。これによって紙に画像が形成される。このようなプリンタ機７０の構成については周知であるため、ここではその詳細な説明を省略する。なお、紙は記録媒体の一例であり、記録媒体としてはこれに限定されるものではない。例えば、記録媒体として、合成紙やビニール紙等も適用することができる。
【００１９】
グロッサ８０は、ＤＦＥ５０から指定されるオンオフ情報によりオン又はオフが制御され、オンにされた場合に、プリンタ機７０により紙に形成された画像を高温及び高圧で加圧し、その後、冷却して本体から画像が形成された紙を剥離する。これにより紙に形成された画像全体において所定以上のトナーが付着した各画素のトナーの総付着量は均一に圧縮される。低温定着機９０には、クリアトナー用の感光体、帯電器、現像器および感光体クリーナを含む作像ユニット、露光器及び当該クリアトナーを定着させるための定着機が搭載されており、低温定着機９０を用いるためにＤＦＥ５０が生成した後述のクリアトナー版の画像データが入力される。低温定着機９０は、当該低温定着機９０が用いるためのクリアトナー版の画像データ（以下、「クリアトナー版データ」という場合もある。）をＤＦＥ５０が生成した場合にはこれを用いてクリアトナーによるトナー像を形成して、グロッサ８０が加圧した紙上に当該トナー像を重ねて、定着機によって通常よりも低い加熱または加圧で紙に定着させる。
【００２０】
ここで、ホスト装置１０から入力される画像データ（原稿データ）について説明する。ホスト装置１０では、予めインストールされた画像処理アプリケーション（後述する画像処理部１２０，版データ生成部１２２、印刷データ生成部１２３等）により画像データが生成されて、ＤＦＥ５０に送信される。このような画像処理アプリケーションでは、ＲＧＢ版やＣＭＹＫ版などの各色版における各色の濃度の値（濃度値という）を画素毎に規定した画像データに対して、特色版の画像データを取り扱うことが可能である。特色版とは、ＣＭＹＫやＲＧＢなどの基本的なカラーの他に、白、金、銀といった特殊なトナーやインクを付着させるための画像データであり、このような特殊なトナーやインクを搭載したプリンタ向けのデータである。特色版は色再現性を向上させるためにＣＭＹＫの基本カラーにＲを追加することや、ＲＧＢの基本カラーにＹを追加することもある。通常、クリアトナーも特色の１つとして取り扱われていた。
【００２１】
本実施の形態では、この特色としてのクリアトナーを、紙に付与する視覚的または触覚的な効果である表面効果を形成するため、および、紙に、上記表面効果以外のウォータマークやテクスチャ等の透明画像を形成するために用いる。
【００２２】
このため、ホスト装置１０の画像処理アプリケーションは、入力された画像データに対して、有色版の画像データの他、特色版の画像データとして、ユーザの指定により、光沢制御版の画像データおよび／またはクリア版の画像データとを生成する。
【００２３】
ここで、有色版の画像データ（以下、「有色版データ」という場合もある。）とは、画素毎にＲＧＢやＣＭＹＫ等の有色の濃度値を規定した画像データである。この有色版の画像データでは、ユーザによる色の指定により、１画素が８ビットで表現される。図２は、有色版の画像データの一例を示す説明図である。図２において、「Ａ」、「Ｂ」、「Ｃ」等の描画オブジェクトごとにユーザが画像処理アプリケーションで指定した色に対応する濃度値が付与される。
【００２４】
また、光沢制御版の画像データとは、紙に付与する視覚的または触覚的な効果である表面効果に応じたクリアトナーを付着させる制御を行うため、当該表面効果の与えられる領域および当該表面効果の種類を特定した画像データである。
【００２５】
この光沢制御版の画像データは、ＲＧＢやＣＭＹＫ等の有色版の画像データと同様に画素毎に８ビットで「０」〜「２５５」の範囲の濃度値で表され、この濃度値に、表面効果の種類が対応付けられる（濃度値は１６ビットや３２ビット、または０〜１００％で表してもよい）。また、同一の表面効果を与えたい範囲には実際に付着するクリアトナーの濃度と関係なく同一の値が設定されるため、領域を示すデータがなくとも必要に応じて画像データから容易に領域が特定できる。即ち、光沢制御版の画像データによって、表面効果の種類と、表面効果を与える領域とが表される（領域を表すデータを別途付与しても良い）。
【００２６】
ここで、ホスト装置１０は、ユーザが画像処理アプリケーションにより指定した描画オブジェクトに対する表面効果の種類を、描画オブジェクトごとに光沢制御値としての濃度値として設定してベクタ形式の光沢制御版の画像データ（以下、「光沢制御版データ」という場合もある。）を生成する。
【００２７】
この光沢制御版の画像データを構成する各画素は、色版の画像データの画素に対応する。尚、各画像データにおいては各画素の表す濃度値が画素値となる。また、色版の画像データ及び光沢制御版の画像データは共にページ単位で構成される。
【００２８】
表面効果の種類としては、大別して、光沢の有無に関するものや、表面保護や、情報を埋め込んだ透かしや、テクスチャなどがある。光沢の有無に関する表面効果については、図３に例示されるように、大別して４種類あり、光沢の度合い（光沢度）の高い順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）及びつや消し（ＰＭ：Ｐｒｅｍｉｕｍ  Ｍａｔｔ）等の各種類がある。これ以降、鏡面光沢を「ＰＧ」、ベタ光沢を「Ｇ」、網点マットを「Ｍ」、つや消しを「ＰＭ」と呼ぶ場合がある。
【００２９】
鏡面光沢やベタ光沢は、光沢を与える度合いが高く、逆に、網点マットやつや消しは、光沢を抑えるためのものであり、特に、つや消しは、通常の紙が有する光沢度より低い光沢度を実現するものである。同図中において、鏡面光沢はその光沢度Ｇｓが８０以上、べた光沢は一次色あるいは二次色のなすベタ光沢度、網点マットは一次色、かつ網点３０％の光沢度、つや消しは光沢度１０以下を表している。また、光沢度の偏差をΔＧｓで表し、１０以下とした。このような表面効果の各種類に対して、光沢を与える度合いが高い表面効果に高い濃度値が対応付けられ、光沢を抑える表面効果に低い濃度値が対応付けられる。その中間の濃度値には、透かしやテクスチャなどの表面効果が対応付けられる。透かしとしては、例えば、文字や地紋などが用いられる。テクスチャは、文字や模様を表すものであり、視覚的効果の他、触覚的効果を与えることが可能である。例えば、ステンドグラスのパターンをクリアトナーによって実現することができる。表面保護は、鏡面光沢やベタ光沢で代用される。尚、処理対象の画像データによって表される画像のどの領域に表面効果を与えるのかやその領域にどの種類の表面効果を与えるのかについては、画像処理アプリケーションを介してユーザにより指定される。画像処理アプリケーションを実行するホスト装置１０では、ユーザにより指定された領域を構成する描画オブジェクトについて、ユーザが指定した表面効果に対応する濃度値がセットされることにより、光沢制御版の画像データが生成される。濃度値と表面効果の種類との対応関係については後述する。
【００３０】
図４は、光沢制御版の画像データの一例を示す説明図である。図４の光沢制御版の画像データの例では、ユーザにより、描画オブジェクト「ＡＢＣ」に表面効果「ＰＧ（鏡面光沢）」が付与され、描画オブジェクト「（長方形の図形）」に表面効果「Ｇ（ベタ光沢）」が付与され、描画オブジェクト「（円形の図形）」に表面効果「Ｍ（網点マット）」が付与された例を示している。なお、各表面効果に設定された濃度値は、後述の濃度値選択テーブル（図１０参照）で、表面効果の種類に対応して定められた濃度値である。
【００３１】
クリア版の画像データとは、上記表面効果以外のウォータマークやテクスチャ等の透明画像を特定した画像データである。図５は、クリア版の画像データの一例を示す説明図である。図５の例では、ユーザにより、ウォータマーク「Ｓａｌｅ」が指定されている。
【００３２】
このように、特色版の画像データである、光沢制御版の画像データおよびクリア版の画像データは、ホスト装置１０の画像処理アプリケーションにより、有色版の画像データとは別のプレーンで生成される。また、有色版の画像データ、光沢制御版の画像データ、クリア版の画像データの各画像データの形式は、ＰＤＦ（Portable  Document  Format）形式が用いられるが、各版のＰＤＦの画像データを統合して原稿データとして生成される。なお、各版の画像データのデータ形式は、ＰＤＦに限定されるものではなく、任意の形式を用いることができる。
【００３３】
次に、このような各版の画像データを生成するホスト装置１０の詳細について説明する。図６は、ホスト装置１０の概略構成例を示すブロック図である。図６に示すように、ホスト装置１０は、Ｉ／Ｆ部１１と、記憶部１２と、入力部１３と、表示部１４と、制御部１５とを含んで構成される。Ｉ／Ｆ部１１は、ＤＦＥ５０との間で通信を行うためのインタフェース装置である。記憶部１２は各種のデータを記憶するハードディスクドライブ装置（ＨＤＤ）やメモリ等の記憶媒体である。入力部１３は、ユーザが各種の操作入力を行うための入力デバイスであり、例えばキーボードやマウスなどで構成され得る。表示部１４は、各種画面を表示するための表示デバイスであり、例えば液晶パネルなどで構成され得る。
【００３４】
制御部１５は、ホスト装置１０全体を制御し、ＣＰＵ、ＲＯＭおよびＲＡＭなどを含んで構成されるコンピュータである。図６に示すように、制御部１５は、入力制御部１２４と、画像処理部１２０と、表示制御部１２１と、版データ生成部１２２と、印刷データ生成部１２３とを主に備えている。これらの各部のうち入力制御部１２４と表示制御部１２１は、制御部１５のＣＰＵがＲＯＭ等に格納されたオペレーティングシステムのプログラムを読み出してＲＡＭ上に展開して実行することにより実現される。画像処理部１２０、版データ生成部１２２、印刷データ生成部１２３は、制御部１５のＣＰＵがＲＯＭ等に格納された上述の画像処理アプリケーションのプログラムを読み出してＲＡＭ上に展開して実行することにより実現される。ここで、版データ生成部１２２は、例えば、画像処理アプリケーションにインストールされたプラグインの機能として提供される。なお、これらの各部のうちの少なくとも一部を個別の回路（ハードウェア）で実現することも可能である。
【００３５】
入力制御部１２４は、入力部１３からの各種入力を受け付けて入力を制御する。例えばユーザは、入力部１３を操作することにより、記憶部１２に記憶された各種画像（例えば写真、文字、図形、これらを合成した画像等）のうち表面効果を与えるべき画像、すなわち有色版の画像データ（以下、「対象画像」と呼ぶ場合もある。）を指定する画像指定情報を入力することができる。なお、これに限らず、画像指定情報の入力方法は任意である。
【００３６】
表示制御部１２１は、表示部１４に対する各種情報の表示を制御する。本実施の形態では、表示制御部１２１は、入力制御部１２４で画像指定情報を受け付けた場合、その画像指定情報で指定された画像を記憶部１２から読み出し、その読み出した画像を画面上に表示するように表示部１４を制御する。
【００３７】
ユーザは、表示部１４に表示された対象画像を確認しながら、入力部１３を操作することにより、表面効果を与える領域および当該表面効果の種類を指定する指定情報を入力することができる。なお、指定情報の入力方法は、これに限られるものではなく、任意である。
【００３８】
より具体的には、表示制御部１２１は、例えば、図７に例示される画面を表示部１４に表示させる。この図７は、Ａｄｏｂｅ  Ｓｙｓｔｅｍ（Ｒ）社が販売しているＩｌｌｕｓｔｒａｔｏｒにプラグインを組み込んだ場合に表示される画面の例である。図７に示される画面では、処理対象である対象画像データ（有色版の画像データ）によって表される画像が表示され、ユーザが入力部１３を介してマーカー追加ボタンを押下して、表面効果を与えたい領域を指定する操作入力を行うことで、表面効果を与える領域が指定される。ユーザは表面効果を与える全ての領域に対してこのような操作入力を行うことになる。そして、ホスト装置１０の表示制御部１２１は、例えば、指定された領域毎に、図８に例示される画面を表示部１４に表示させる。図８に示される画面では、表面効果を与えるものとして指定された各領域において当該領域の画像が表され、当該画像に対して与えたい表面効果の種類を指定する操作入力を入力部１３を介して行うことで、当該領域に対して与える表面効果の種類が指定される。表面効果の種類として、図３の鏡面光沢やベタ光沢は図８では「インバースマスク」と表記されており、図３の鏡面光沢やべた光沢を除く他の効果は、図８のステンドグラスや万線パターンや網目パターンやモザイクスタイルと、網点マット、ハーフトーンとして表記されており、各々の表面効果が指定可能であることが示されている。
【００３９】
また、ホスト装置１０の表示制御部１２１は、図９に例示される版優先情報選択を表示部１４に表示させる。この版優先情報の設定画面は、印刷対象の画像において、透明画像の指定と表面効果の指定とが重なった場合に、透明画像の指定を優先させるか、表面効果の指定を優先させるかをユーザに選択させるための画面である。ここで、図９の画面では、透明画像の指定を優先する場合には、クリア版優先を選択させ、表面効果の指定を優先する場合には、光沢制御版優先を選択させるようにしている。この指定は、ＤＦＥ５０に印刷データとともに送信される。
【００４０】
図６に戻り、画像処理部１２０は、対象画像に対して、ユーザからの入力部１３を介した指示に基づいて、各種画像処理を行う。
【００４１】
版データ生成部１２２は、有色版の画像データ、光沢制御版の画像データ、クリア版の画像データをそれぞれ生成する。すなわち、版データ生成部１２２は、入力制御部１２４で、対象画像の描画オブジェクトに対するユーザによる色指定を受け付けた場合、当該色指定に従って、有色版の画像データを生成する。
【００４２】
また、版データ生成部１２２は、入力制御部１２４で、表面効果以外のウォータマークやテクスチャ等の透明画像及び透明画像を付与する領域の指定を受け付けた場合、当該ユーザからの指定に従って、透明画像および透明画像を付与する紙における領域とを特定するためのクリア版の画像データを生成する。
【００４３】
また、版データ生成部１２２は、入力制御部１２４で指定情報（表面効果を与える領域および当該表面効果の種類）を受け付けた場合、当該指定情報に基づいて、紙において表面効果が与えられる領域および当該表面効果の種類を特定可能な光沢制御版の画像データを生成する。ここで、版データ生成部１２２は、光沢制御値で示す表面効果を付与する領域を、対象画像の画像データの描画オブジェクトの単位で指定した光沢制御版の画像データを生成する。
【００４４】
ここで、記憶部１２には、ユーザにより指定された表面効果の種類と、当該表面効果の種類に対応する光沢制御版の画像データの濃度値とを記憶する濃度値選択テーブルが格納される。図１０は、濃度値選択テーブルの一例を示す図である。図１０の例では、ユーザにより「ＰＧ」（鏡面光沢）が指定された領域に対応する光沢制御版の画像データの濃度値は「９８％」であり、「Ｇ」（ベタ光沢）が指定された領域に対応する光沢制御版の画像データの濃度値は「９０％」であり、「Ｍ」（網点マット）が指定された領域に対応する光沢制御版の画像データの濃度値は「１６％」であり、「ＰＭ」（つや消し）が指定された領域に対応する光沢制御版の画像データの濃度値は「６％」である。
【００４５】
この濃度値選択テーブルは、ＤＦＥ５０で記憶している表面効果選択テーブル（後述）の一部のデータであり、制御部１５が所定のタイミングで表面効果選択テーブルを取得して、取得した表面効果選択テーブルから生成して記憶部１２に保存する。なお、インターネット等のネットワーク上のストレージサーバ（クラウド）に表面効果選択テーブルを保存しておき、制御部１５が当該サーバから表面効果選択テーブルを取得して、取得した表面効果選択テーブルから生成するように構成してもよい。ただし、ＤＦＥ５０で記憶している表面効果選択テーブルと記憶部１２に保存されている表面効果選択テーブルとは同じデータである必要がある。
【００４６】
図６に戻り、版データ生成部１２２は、図１０に示す濃度値選択テーブルを参照しながら、ユーザにより所定の表面効果が指定された描画オブジェクトの濃度値（光沢制御値）を、当該表面効果の種類に応じた値に設定することで、光沢制御版の画像データを生成する。例えばユーザにより、図２に示した有色版の画像データである対象画像のうち、「ＡＢＣ」と表示される領域に「ＰＧ」、長方形の領域に「Ｇ」、円形の領域に「Ｍ」を与えることが指定された場合を想定する。この場合、版データ生成部１２２は、ユーザにより「ＰＧ」が指定された描画オブジェクト（「ＡＢＣ」）の濃度値を「９８％」に設定し、「Ｇ」が指定された描画オブジェクト（「長方形」）の濃度値を「９０％」に設定し、「Ｍ」が指定された描画オブジェクト（「円形」）の濃度値を「１６％」に設定することで、光沢制御版の画像データを生成する。版データ生成部１２２で生成された光沢制御版の画像データは、点の座標と、それを結ぶ線や面の方程式のパラメータ、および、塗り潰しや特殊効果などを示す描画オブジェクトの集合として表現されるベクター形式のデータである。図４は、この光沢制御版の画像データをイメージとして示した図である。版データ生成部１２２は、光沢制御版の画像データと、対象画像の画像データ（有色版の画像データ）と、クリア版の画像データとを統合した原稿データを生成して印刷データ生成部１２３へ渡す。
【００４７】
印刷データ生成部１２３は、原稿データに基づいて印刷データを生成する。印刷データは、対象画像の画像データ（有色版の画像データ）と、光沢制御版の画像データと、クリア版の画像データと、例えばプリンタの設定、集約の設定、両面の設定などをプリンタに対して指定するジョブコマンドとを含んで構成される。図１１は、印刷データの構成例を概念的に示す模式図である。図１１の例では、ジョブコマンドとして、ＪＤＦ（Job  Definition  Format）が用いられているが、これに限られるものではない。図１１に示すＪＤＦは、集約の設定として「片面印刷・ステープル有り」を指定するコマンドである。また、印刷データは、PostScriptのようなページ記述言語（ＰＤＬ）に変換されてもよいし、ＤＦＥ５０が対応していれば、ＰＤＦ形式のままでもよい。
【００４８】
次に、上記のように構成されたホスト装置１０による印刷データの生成処理について説明する。図１２は、実施の形態１のホスト装置１０による印刷データの生成処理の手順を示すフローチャートである。なお、以下に示す処理の例では、透明画像の指定がなく従ってクリア版の画像データを生成しない場合の例で説明する。
【００４９】
まず、入力制御部１２４が画像指定情報の入力を受け付けた場合（ステップＳ１１：ＹＥＳ）、表示制御部１２１は、受け付けた画像指定情報で指定された画像を表示するように表示部１４を制御する（ステップＳ１２）。次に、入力制御部１２３が表面効果の指定情報の入力を受け付けた場合（ステップＳ１３：ＹＥＳ）、版データ生成部１２２は、受け付けた指定情報に基づいて、光沢制御版の画像データを生成する（ステップＳ１４）。
【００５０】
より具体的には、版データ生成部１２２は、指定情報により対象画像に対して表面効果が付与された描画オブジェクトとその座標を特定し、記憶部１２に保存されている濃度値選択テーブルを参照して、指定情報でユーザが付与した表面効果に対応する光沢制御値としての濃度値を決定する。そして、版データ生成部１２２は、光沢制御版の画像データ（当初は空データ）に、描画オブジェクトと、表面効果に対応して決定された濃度値とを対応付けて登録する。そして、版データ生成部１２２は、対象画像に存在する全ての描画オブジェクトに対して上記処理を繰り返し実行する。これにより図４に示す光沢制御版の画像データが生成される。図１３は、図４の光沢制御版の画像データにおいて、描画オブジェクト、座標、濃度値との対応関係を示す図である。
【００５１】
また、版データ生成部１２２は、図７，８で示したアプリケーションの画面からユーザによる透明画像の指定に基づいてクリア版の画像データを生成する。
【００５２】
光沢制御版の画像データが生成されたら、版データ生成部１２２は、光沢制御版の画像データと対象画像の画像データとクリア版の画像データとを統合した原稿データを生成して印刷データ生成部１２３へ渡す。そして、印刷データ生成部１２３は、原稿データに基づいて印刷データを生成する（ステップＳ１５）。以上により、印刷データが生成される。
【００５３】
次に、ＤＦＥ５０の機能的構成について説明する。ＤＦＥ５０は、図１４に例示されるように、レンダリングエンジン５１と、ｓｉ１部５２と、ＴＲＣ(Tone  Reproduction  Curve)５３と、ｓｉ２部５４と、ハーフトーンエンジン５５と、クリアプロセッシング５６と、ｓｉ３部５７と、表面効果選択テーブル（不図示）とを有する。レンダリングエンジン５１と、ｓｉ１部５２と、ＴＲＣ(Tone  Reproduction  Curve)５３と、ｓｉ２部５４と、ハーフトーンエンジン５５と、クリアプロセッシング５６と、ｓｉ３部５７とは、ＤＦＥ５０の制御部が主記憶部や補助記憶部に記憶されている各種プログラムを実行することにより実現されるものである。ｓｉ１部５２、ｓｉ２部５４及びｓｉ３部５７はいずれも、画像データを分離する(sepatate)機能と、画像データを統合する（integrate）機能とを有するものである。表面効果選択テーブルは例えば補助記憶部に記憶されるものである。
【００５４】
レンダリングエンジン５１には、ホスト装置１０から送信された画像データ（例えば、図１１に示した印刷データ）と版優先情報とが入力される。レンダリングエンジン５１は、入力された画像データを言語解釈して、ベクター形式で表現される画像データをラスタ形式に変換すると共に、ＲＧＢ形式等で表現された色空間をＣＭＹＫ形式の色空間に変換して、ＣＭＹＫの有色版の各８ビットの画像データ、８ビットのクリア版の画像データ、及び８ビットの光沢制御版の画像データを出力する。ｓｉ１部５２は、ＣＭＹＫの各８ビットの有色版の画像データをＴＲＣ５３に出力し、８ビットの光沢制御版の画像データと８ビットのクリア版の画像データとをクリアプロセッシング５６に出力する。ここで、ＤＦＥ５０は、ホスト装置１０から出力されたベクタ形式の光沢制御版の画像データをラスタ形式に変換し、この結果、ＤＦＥ５０は、ユーザが画像処理アプリケーションにより指定した描画オブジェクトに対する表面効果の種類を、画素を単位として濃度値として設定して光沢制御版の画像データを出力する。
【００５５】
ＴＲＣ５３には、ｓｉ１部５２を介してＣＭＹＫの各８ビットの有色版の画像データが入力される。ＴＲＣ５３には、入力された画像データに対してキャリブレーションにより生成された１Ｄ＿ＬＵＴのガンマカーブでガンマ補正を行う。画像処理としては、ガンマ補正の他にトナーの総量規制等がある。総量規制とは記録媒体上の１画素において、プリンタ機７０でのせることが可能なトナー量に限界があるため、ガンマ補正後のＣＭＹＫ各８ビットの画像データを制限する処理である。ちなみに、総量規制を越えて印刷した場合、転写不良や定着不良により画質が劣化してしまう。当実施例では関連するガンマ補正のみを取り上げて説明している。
【００５６】
ｓｉ２部５４は、ＴＲＣ５３でガンマ補正されたＣＭＹＫの各８ビットの有色版の画像データを、インバースマスク（後述する）を生成するためのデータとしてクリアプロセッシング５６へ出力する。ハーフトーンエンジン５５には、ｓｉ２部５４を介してガンマ補正後のＣＭＹＫの各８ビットの有色版の画像データが入力される。ハーフトーンエンジン５５は、入力された画像データをプリンタ機７０に出力するための、例えばＣＭＹＫの各２ビット等の有色版の画像データのデータ形式に変換するハーフトーン処理を行い、ハーフトーン処理後のＣＭＹＫ各２ビット等の有色版の画像データを出力する。なお、２ビットは一例であり、これに限定されるものではない。
【００５７】
クリアプロセッシング５６には、レンダリングエンジン５１が変換した８ビットの光沢制御版の画像データがｓｉ１部５２を介して入力されると共に、ＴＲＣ５３がガンマ補正を行ったＣＭＹＫの各８ビットの有色版の画像データと、８ビットのクリア版の画像データとがｓｉ２部５４を介して入力される。
【００５８】
図１５は、クリアプロセッシング５６の機能的構成を示すブロック図である。図１５に示すように、クリアプロセッシング５６は、表面効果選択テーブル記憶部１４０１と、光沢制御版記憶部１４０２と、クリア版記憶部１４０３と、版優先情報取得部１４０５と、クリアトナー版生成部１４１０とを主に備えている。
【００５９】
光沢制御版記憶部１４０２は、入力された光沢制御版の画像データが保存される記憶媒体である。クリア版記憶部１４０３は、入力されたクリア版の画像データが保存される記憶媒体である。表面効果選択テーブル記憶部１４０１は、後述の表面効果選択テーブルを記憶する記憶媒体である。
【００６０】
版優先情報取得部１４０５は、版優先情報を、ｓｉ１部５２を介して取得して、クリアトナー版生成部１４１０に送信する。
【００６１】
クリアトナー版生成部１４１０は、クリアトナー版の画像データを生成する。クリアトナー版生成部１４１０は、図１５に示すように、重なり判定部１４１１と、生成部１４１２を主に備えている。
【００６２】
重なり判定部１４１１は、光沢制御版の画像データに濃度値（光沢制御値）が指定された領域と、クリア版の画像データで濃度値が指定された領域との重なり範囲を、各版のデータから判定する。
【００６３】
生成部１４１２は、光沢制御版の画像データと、クリア版の画像データとに基づいて、クリアトナー版の画像データを生成するものである。生成部１４１２は、光沢制御版記憶部１４０２に保存された光沢制御版の画像データを用いて、表面効果選択テーブル記憶部１４０１に保存されている表面効果選択テーブルを参照して、光沢制御版の画像データを構成する各画素の表す濃度値（画素値）に対する表面効果を判断して、当該判断に応じて、グロッサ８０のオン又はオフを決定すると共に、入力されたＣＭＹＫの各８ビットの画像データを用いてインバースマスクやベタマスクを適宜生成することにより、クリアトナーを付着させるための２ビットのクリアトナー版の画像データを適宜生成する。そして、表面効果の判断の結果に応じて、クリアプロセッシング５６は、プリンタ機７０で用いるクリアトナー版の画像データと、低温定着機９０で用いるクリアトナー版の画像データとを適宜生成してこれらを出力すると共に、グロッサ８０のオン又はオフを示すオンオフ情報を出力する。
【００６４】
ここで、インバースマスクとは、表面効果を与える対象の領域を構成する各画素上のＣＭＹＫのトナー及びクリアトナーを合わせた総付着量が均一になるようにするためのものである。具体的には、ＣＭＹＫの有色版の画像データにおいて当該対象の領域を構成する画素の表す濃度値を全て加算し、その加算値を所定値から差し引いた画像データがインバースマスクとなる。例えば、上述のインバースマスク１は以下の式１で表される。
【００６５】
Ｃｌｒ＝１００−（Ｃ＋Ｍ＋Ｙ＋Ｋ）  但し、Ｃｌｒ＜０となる場合、Ｃｌｒ＝０                                                                    ・・・(式１)
【００６６】
式１において、Ｃｌｒ，Ｃ，Ｍ，Ｙ，Ｋは、クリアトナー及びＣ，Ｍ，Ｙ，Ｋの各トナーのそれぞれについて、各画素における濃度値から換算される濃度率を表すものである。即ち、式１によって、Ｃ，Ｍ，Ｙ，Ｋの各トナーの総付着量にクリアトナーの付着量を加えた総付着量を、表面効果を与える対象の領域を構成する全ての画素について１００％にする。なお、Ｃ，Ｍ，Ｙ，Ｋの各トナーの総付着量が１００％以上である場合には、クリアトナーは付着させずに、その濃度率は０％にする。これは、Ｃ，Ｍ，Ｙ，Ｋの各トナーの総付着量が１００％を超えている部分は定着処理により平滑化されるためである。このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。但し、インバースマスクには、式１以外により求められるものがあり、インバースマスクの種類は複数有り得る。
【００６７】
例えば、インバースマスクは、各画素にクリアトナーを均一に付着させるものであってもよい。この場合のインバースマスクは、ベタマスクともいい、以下の式２で表される。
Ｃｌｒ＝１００・・・(式２)
【００６８】
尚、表面効果を与える対象の画素の中でも、１００％以外の濃度率が対応付けられるものがあるようにしても良く、ベタマスクのパターンは複数有り得る。
【００６９】
また、例えばインバースマスクは、各色の地肌露出率の乗算により求められるものであってもよい。この場合のインバースマスクは、例えば以下の式３で表される。
Ｃｌｒ＝１００×｛（１００−Ｃ）／１００｝×｛（１００−Ｍ）／１００｝×｛（１００−Ｙ）／１００｝×｛（１００−Ｋ）／１００｝・・・(式３)
上記式３において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【００７０】
また、例えばインバースマスクは、最大面積率の網点が平滑性を律すると仮定した方法により求められるものであってもよい。この場合のインバースマスクは、例えば以下の式４で表される。
Ｃｌｒ＝１００−max（Ｃ，Ｍ，Ｙ，Ｋ）・・・(式４)
上記式４において、max（Ｃ，Ｍ，Ｙ，Ｋ）は、ＣＭＹＫのうち最大の濃度値を示す色の濃度値が代表値となることを示す。
【００７１】
要するに、インバースマスクは、上記式１〜式４の何れかの式により表されるものであればよい。
【００７２】
表面効果選択テーブルは、表面効果を示す光沢制御値としての濃度値と当該表面効果の種類の対応関係を示すと共に、これらと、画像形成システムの構成に応じた後処理機に関する制御情報と、プリンタ機７０で用いるクリアトナー版の画像データ及び後処理機で用いるクリアトナー版の画像データとの対応関係を示すテーブルである。画像形成システムの構成は、様々に異なり得るが、本実施の形態においては、プリンタ機７０に後処理機としてグロッサ８０及び低温定着機９０が接続される構成である。このため、画像形成システムの構成に応じた後処理機に関する制御情報とは、グロッサ８０のオン又はオフを示すオンオフ情報となる。また、後処理機で用いるクリアトナー版の画像データとしては、低温定着機９０で用いるクリアトナー版の画像データがある。図１６は、表面効果選択テーブルのデータ構成を例示する図である。尚、表面効果選択テーブルは、異なる画像形成システムの構成毎に、後処理機に関する制御情報と、プリンタ機７０で用いるクリアトナー版１の画像データ及び後処理機で用いるクリアトナー版２の画像データと、濃度値及び表面効果の種類との対応関係を示すように構成され得るが、図１６では、本実施の形態に係る画像形成システムの構成に応じたデータ構成を例示している。同図に示される表面効果の種類及び濃度値の対応関係においては、濃度値の範囲毎に表面効果の各種類が対応付けられている。また、その濃度値の範囲の代表となる値（代表値）から換算される濃度の割合（濃度率）に対して２％単位で表面効果の各種類が対応付けられている。具体的には、濃度率が８４％以上となる濃度値の範囲（「２１２」〜「２５５」）に対して光沢を与える表面効果（鏡面光沢及びベタ光沢）が対応付けられており、濃度率が１６％以下となる濃度値の範囲（「１」〜「４３」）に対して光沢を抑える表面効果（網点マット及びつや消し）が対応付けられている。また、濃度率が２０％〜８０％となる濃度値の範囲には、テクスチャや地紋透かしなどの表面効果が対応付けられている。
【００７３】
より具体的には、例えば、「２３８」〜「２５５」の画素値に対しては表面効果として鏡面光沢（PM:Premium  Gross）が対応付けられており、このうち、「２３８」〜「２４２」の画素値、「２４３」〜「２４７」の画素値及び「２４８」〜「２５５」の画素値の３つの範囲に対して各々異なるタイプの鏡面光沢が対応付けられている。また、「２１２」〜「２３２」の画素値に対しては、ベタ光沢(G:Gross)が対応付けられており、このうち、「２１２」〜「２１６」の画素値、「２１７」〜「２２１」の画素値、「２２２」〜「２２７」の画素値及び「２２８」〜「２３２」の画素値の４つの範囲に対して各々異なるタイプのベタ光沢が対応付けられている。また、「２３」〜「４３」の画素値に対しては、網点マット(M:Matt)が対応付けられており、このうち、「２３」〜「２８」の画素値、「２９」〜「３３」の画素値、「３４」〜「３８」の画素値及び「３９」〜「４３」の画素値の４つの範囲に対して各々異なるタイプの網点マットが対応付けられている。また、「１」〜「１７」の画素値に対しては、つや消し(PM:Premium  Matt)が対応付けられており、このうち、「１」〜「７」の画素値、「８」〜「１２」の画素値及び「１３」〜「１７」の画素値の３つの範囲に対して各々異なるタイプのつや消しが対応付けられている。これらの同一の表面効果の異なるタイプはプリンタ機７０や低温定着機９０で使用するクリアトナー版の画像データを求める式に違いがあり、プリンタ本体や後処理機の動作は同じである。尚、「０」の濃度値には、表面効果を与えないことが対応付けられている。
【００７４】
また、図１６には、画素値及び表面効果に対応して、グロッサ８０のオン又はオフを示すオンオフ情報と、プリンタ機７０で用いるクリアトナー版１の画像データ（図１のＣｌｒ−１）及び低温定着機９０で用いるクリアトナー版２の画像データの内容とが各々示されている。例えば、表面効果が鏡面光沢である場合、グロッサ８０をオンにすることが示されると共に、プリンタ機７０で用いるクリアトナー版１の画像データは、インバースマスクを表すものであり、低温定着機９０で用いるクリアトナー版２の画像データ（図１のＣｌｒ−２）は、ないことが示されている。当該インバースマスクは、例えば上述した式１により求められるものである。尚、図１６に示される例は、表面効果として鏡面効果が指定された領域が、画像データによって規定される領域全体に相当する場合の例である。表面効果として鏡面効果が指定された領域が、画像データによって規定される領域の一部に相当する場合の例については後述する。
【００７５】
また、濃度値が「２２８」〜「２３２」であり表面効果がベタ光沢である場合、グロッサ８０をオフにすることが示されていると共に、プリンタ機７０で用いるクリアトナー版１の画像データは、インバースマスク１であり、低温定着機９０で用いるクリアトナー版２の画像データは、ないことが示されている。
【００７６】
尚、当該インバースマスク１は、上記式１〜式４の何れかの式により表されるものであればよい。これはグロッサ８０がオフなので平滑化されるトナーの総付着量が異なるため、鏡面光沢により表面の凹凸が増え、その結果、鏡面光沢により光沢度が低いベタ光沢が得られる。また、表面効果が網点マットである場合、グロッサ８０をオフにすることが示されていると共に、プリンタ機７０で用いるクリアトナー版１の画像データは、ハーフトーン（網点）を表すものであり、低温定着機９０で用いるクリアトナー版２の画像データは、ないことが示されている。また、表面効果がつや消しである場合、グロッサ８０をオン又はオフのいずれにしても良いことが示されていると共に、プリンタ機７０で用いるクリアトナー版１の画像データは、なく、低温定着機９０で用いるクリアトナー版２の画像データは、ベタマスクを表すものであることが示されている。当該ベタマスクは、例えば上述の式２により求められるものである。
【００７７】
図１７は、有色トナーの原画について光沢効果を持たせる利用の説明図である。図は画像を任意の箇所で走査したときの濃度の変化を表したときの図である。
【００７８】
ＣＭＹＫの有色版の８ビットの画像データについて、１画素あたりのトナーの濃度値の合計Ｃ＋Ｍ＋Ｙ＋Ｋを算出する。そしてこの値を反転しインバースマスクとし、クリアトナーを付着させる量となる。このインバースマスクを原画像に重ねることでトナー総付着量を均一にすることで光沢のある領域を得ることができる。
【００７９】
図１８は、有色トナーの画像データについてつや消し効果を持たせる利用についての説明図である。ＣＭＹＫの有色トナーのそれぞれが均一であるため、光沢が得られている場合、図のような濃度が不均一なつや消しの網点マットをクリアトナーで重ねるとトナー総付着量は元々均一であったところが不均一となる。そのため光沢は生じずつや消しの効果が得られる。そのような網点マットはパターンデータとしてＤＦＥ５０内部に記憶されており、それを領域に画素単位で展開する。
【００８０】
図１９は、地紋パターン効果についての説明図である。図で黒または白のマスから示されているが、１つのマスの１辺が、たとえば５０画素等の複数画素からなる。黒のマスの部分はクリアトナーがのる部分で、白のマスの部分が乗らない部分である。図のようなパターンがデータとしてＤＦＥ５０内部に記憶されており、それを領域に画素単位で展開する。
【００８１】
クリアプロセッシング５６は、上述した表面効果選択テーブルを参照して、光沢制御版によって示される各画素値に対応付けられている表面効果を判断すると共に、グロッサ８０のオン又はオフを判断して、プリンタ機７０及び低温定着機９０でどのようなクリアトナー版の画像データを用いるかを判断する。尚、クリアプロセッシング５６は、グロッサ８０のオン又はオフの判断を１ページ毎に行う。そして、上述したように、クリアプロセッシング５６は、当該判断の結果に応じて、クリアトナー版の画像データを適宜生成してこれを出力すると共に、グロッサ８０に対するオンオフ情報を出力する。
【００８２】
生成部１４１２は、クリアトナー版の画像データを生成する際に、重なり判定部１４１１によって、光沢制御版の画像データに濃度値（光沢制御値）が指定された領域と、クリア版の画像データで濃度値が指定された領域との重なり範囲がある場合には、この重なり範囲において、所定の条件としての版優先情報に基づいて、光沢制御版の画像データで指定された濃度値、クリア版の画像データで指定された濃度値のいずれか一方をクリアトナー版の画像データに設定する。
【００８３】
より具体的には、生成部１４１２は、版優先情報で光沢制御版を優先すると指定されている場合には、重なり範囲に、光沢制御版の画像データの重なり範囲に指定された濃度値（光沢制御値）を設定して、クリアトナー版の画像データを生成し、版優先情報でクリア版を優先すると指定されている場合には、重なり範囲に、クリア版の画像データの重なり範囲に指定された濃度値を設定して、クリアトナー版の画像データを生成する。
【００８４】
クリア版優先の場合はウォーターマーク優先の場合であり、光沢制御版の画像データでの表面効果の指定よりもウォーターマークの指定が優先される。光沢制御版優先の場合はウォーターマークの領域であっても光沢制御版の画像データで何らかの表面効果の指定があれば当該表面効果が優先される。
【００８５】
図２０は、版優先情報の指定に従って重なり範囲で生成される画素データを説明するための図である。図２０に示すように、クリア版の画素データ、光沢制御版の画素データが共に０でない場合において、版優先情報が光沢制御版優先の指定である場合には、生成部１４１２は、光沢制御版の画素データを優先してクリアトナー版の画素データに設定し、版優先情報がクリア版優先の指定がある場合には、生成部１４１２は、クリア版の画素データを優先してクリアトナー版の画素データに設定する。なお、図２０に示すように、一方の版の画素データが０である場合には、生成部１４１２は、０でない他方の版の画素データをクリアトナー版の画素データに設定する。以下、詳細に説明する。
【００８６】
図２１は、版優先情報がクリア版優先である場合において、各画素のクリア版の画像データ、光沢制御版の画像データの各値と、それらの情報から作成されるクリアトナー版の値の例を示す図である。クリア版の画像データとしては各画素で値０または２５５の値をとる。
【００８７】
生成部１４１２は、クリア版の画像データの値が０の場合には、光沢制御版の画像データの値を用い、光沢制御版の画像データの値が０、すなわち制御無しの場合にはクリア版の画像データの値をそのままクリアトナー版の画素に反映する。クリア版の画像データ、光沢制御版の画像データが共に０以外の場合は、クリア版優先であるため、生成部１４１２は、クリア版の画像データの値、すなわち２５５を採用してクリアトナー版の画素に設定する。
【００８８】
なお、表面効果が光沢（鏡面光沢、ベタ光沢）の指定である場合、ウォーターマークと同様の結果となる。図２１ではクリア版の画像データの値である２５５を記載している。
【００８９】
図２２は、版優先情報が光沢制御版優先である場合において、各画素のクリア版の画像データ、光沢制御版の画像データの各値と、それらの情報から作成されるクリアトナー版の画像データの値の例を示す図である。クリア版の画像データの値、光沢制御版の画像データの値が共に０以外の場合は光沢制御版優先であるため、生成部１４１２は、光沢制御版の画像データの値をそれぞれ採用してクリアトナー版の画素に設定する。
【００９０】
なお、表面効果が光沢（鏡面光沢、ベタ光沢）の指定である場合、クリア版優先の場合と同じく、ウォーターマークと同様の結果となる。図２２ではクリア版の画像データの値である２５５を記載している。
【００９１】
図１４に戻り、ｓｉ３部５７は、ハーフトーン処理後のＣＭＹＫの各２ビットの有色版の画像データと、クリアプロセッシング５６が生成した２ビットのクリアトナー版の画像データとを統合し、統合した画像データをＭＩＣ６０に出力する。尚、クリアプロセッシング５６は、プリンタ機７０で用いるクリアトナー版の画像データ及び低温定着機９０で用いるクリアトナー版の画像データのうち少なくとも一方を生成しない場合があるので、クリアプロセッシング５６が生成した方のクリアトナー版の画像データがｓｉ３部５７で統合され、両方のクリアトナー版の画像データをクリアプロセッシング５６が生成していない場合には、ｓｉ３部５７からはＣＭＹＫの各２ビットの画像データが統合された画像データが出力される。この結果、ＤＦＥ５０からは各々２ビットの４つ〜６つの画像データがＭＩＣ６０へ送り出されることになる。また、ｓｉ３部５７は、クリアプロセッシング５６が出力したグロッサ８０に対するオンオフ情報もＭＩＣ６０に出力する。
【００９２】
ＭＩＣ６０は、後処理機として搭載されている装置構成を示す装置構成情報をＤＥＦ５０に出力する。ＭＩＣ６０は、ＤＦＥ５０とプリンタ機７０とに接続され、色版の画像データ、クリアトナー版の画像データをＤＦＥ５０から受信して各画像データを対応する装置に振り分けるとともに、後処理機の制御を行う。より具体的には、ＭＩＣ６０は、図２３に例示されるように、ＤＦＥ５０から出力された画像データのうちＣＭＹＫの有色版の画像データをプリンタ機７０に出力し、プリンタ機７０で用いるクリアトナー版の画像データがある場合にはこれもプリンタ機７０に出力し、ＤＦＥ５０から出力されたオンオフ情報を用いて、グロッサ８０をオン又はオフにして、低温定着機９０で用いるクリアトナー版の画像データがある場合にはこれを低温定着機９０に出力する。グロッサ８０はオンオフ情報によって定着を行う経路と行わない経路とを切り替えても良い。低温定着機９０はクリアトナー版の画像データの有無によってオン又はオフの切り替えやグロッサ８０と同様の経路の切り替えをしても良い。
【００９３】
また、図２３に示すように、プリンタ機７０、グロッサ８０、低温定着機９０からなる印刷装置は、記録媒体を搬送する搬送路を備えている。なお、プリンタ機７０は、詳細には、電子写真方式の複数の感光体ドラム、感光体ドラム上に形成されたトナー像を転写される転写ベルト、転写ベルト上のトナー像を記録媒体に転写する転写装置、及び記録媒体上のトナー像を該記録媒体に定着させる定着機を備える。記録媒体は、図示を省略する搬送部材によって搬送路を搬送されることで、プリンタ機７０、グロッサー８０、低温てい着機の設けられている位置を、この順に搬送される。そして、これらの機器によって順次処理が行われて画像形成及び表面効果が付与された後に、図示を省略する搬送機構によって搬送路を搬送されて、印刷装置の外部へと排出される。
【００９４】
次に、本実施の形態に係る画像形成システムが行う光沢制御処理の手順について図２４を用いて説明する。ＤＦＥ５０がホスト装置１０から画像データを受信すると（ステップＳ１）、レンダリングエンジン５１は、これを言語解釈して、ベクター形式で表現される画像データをラスタ形式に変換すると共に、ＲＧＢ形式で表現された色空間をＣＭＹＫ形式の色空間に変換して、ＣＭＹＫの色版の各８ビットの画像データ、８ビットの光沢制御版の画像データおよび８ビットのクリア版の画像データを得る（ステップＳ２）。
【００９５】
光沢制御版の画像データの変換処理では、図４の光沢制御版の画像データ、すなわち、図１３で示したような、描画オブジェクトごとに表面効果を特定する濃度値が指定された光沢制御版の画像データを、描画オブジェクトを構成する画素ごとに濃度値が指定された光沢制御版の画像データに変換する。
【００９６】
そして、８ビット光沢制御版の画像データが出力されたら、ＤＦＥ５０のＴＲＣ５３は、ＣＭＹＫの色版の各８ビットの画像データに対してキャリブレーションにより生成された１Ｄ＿ＬＵＴのガンマカーブでガンマ補正を行い、ハーフトーンエンジン５５はガンマ補正後の画像データに対して、プリンタ機７０に出力するためのＣＭＹＫ各２ビットの画像データのデータ形式に変換するハーフトーン処理を行い、ハーフトーン処理後のＣＭＹＫの各２ビットの画像データを得る（ステップＳ３）。
【００９７】
また、ＤＦＥ５０のクリアプロセッシング５６は、８ビットの光沢制御版の画像データを用いて、表面効果選択テーブルを参照して、光沢制御版の画像データによって示される各画素値に対して指定された表面効果の種類を判断する。そして、クリアプロセッシング５６は、光沢制御版の画像データを構成する全ての画素について、このような判断を行う。尚、光沢制御版の画像データにおいては、各表面効果を与える領域を構成する全ての画素について基本的に同一の範囲の濃度値を表す。このため、同一の表面効果であると判断した近傍の画素については、クリアプロセッシング５６は、同一の表面効果を与える領域に含まれるものとして判断する。このようにして、クリアプロセッシング５６は、表面効果を与える領域と、当該領域に対して与える表面効果の種類とを判断する（ステップＳ４）。
【００９８】
次に、ＤＦＥ５０のクリアプロセッシング５６は、ガンマ補正後のＣＭＹＫの各８ビットの有色版の画像データと８ビットのクリア版の画像データとを適宜用いて、クリアトナーを付着させるための８ビットのクリアトナー版の画像データを適宜生成する（ステップＳ５）。そして、ハーフトーンエンジン５６は、ハーフトーン処理により、８ｂｉｔの画像データを用いた８ビットのクリアトナー版の画像データを２ビットのクリアトナー版の画像データに変換する（ステップＳ６）。
【００９９】
次に、ＤＦＥ５０のｓｉ３部５７は、ステップＳ３で得たハーフトーン処理後のＣＭＹＫの各２ビットの画像データと、ステップＳ６で生成した２ビットのクリアトナー版の画像データとを統合し、統合した画像データと、ステップＳ４で決定したグロッサ８０のオン又はオフを示すオンオフ情報とをＭＩＣ６０に対して出力する（ステップＳ７）。
【０１００】
尚、ステップＳ５で、クリアプロセッシング５６は、クリアトナー版の画像データを生成していない場合には、ステップＳ７では、ステップＳ３で得たハーフトーン処理後のＣＭＹＫの各２ビットの画像データのみが統合されてＭＩＣ６０に出力される。
【０１０１】
次に、ステップＳ５におけるクリアトナー版の画像データの生成処理について説明する。図２５は、実施の形態１のクリアトナー版の画像データの生成処理の手順を示すフローチャートである。
【０１０２】
クリアトナー版生成部１４１０の重なり判定部１４１１は、光沢制御版記憶部１４０２から光沢制御版の画像データを読み出し（ステップＳ２１）、クリア版記憶部１４０３からクリア版の画像データを読み出す（ステップＳ２２）。そして、クリアトナー版生成部１４１０の生成部１４１２は、版優先情報取得部１４０５から版優先情報を取得する（ステップＳ２３）。
【０１０３】
重なり判定部１４１１は、各版、すなわち、光沢制御版の画像データの画素およびクリア版の画像データの画素を選択する（ステップＳ２４）。そして、重なり判定部１４１１は、それぞれの画素値から、選択された画素が、光沢制御版の画像データに濃度値（光沢制御値）が指定された領域とクリア版の画像データで濃度値が指定された領域との重なり範囲であるか否かを以下のように判断する。
【０１０４】
まず、重なり判定部１４１１は、選択された各版の画素値がともに０であるか否かを判断する（ステップＳ２７）。そして、選択された各版の画素値がともに０である場合には（ステップＳ２７：Ｙｅｓ）、生成部１４１２は、クリアトナー版の画像データにおいて、ステップＳ２４で選択された画素に対応する画素の画素値を０に設定する（ステップＳ２８）。
【０１０５】
一方、ステップＳ２７において、選択された各版の画素値がともに０でない場合には（ステップＳ２７：Ｎｏ）、重なり判定部１４１１は、選択された画素において、各版の一方の画素の画素値が０で他方の画素の画素値が０以外であるか否かを調べる（ステップＳ２９）。
【０１０６】
そして、各版の一方の画素の画素値が０で他方の画素の画素値が０以外である場合には（ステップＳ２９：Ｙｅｓ）、生成部１４１２は、クリアトナー版の画像データの対応する画素の画素値を、当該他方の画素の画素値（すなわち、０以外の画素値）に設定する（ステップＳ３０）。
【０１０７】
一方、ステップＳ２９において、各版の一方の画素の画素値が０で他方の画素の画素値が０以外でない場合には（ステップＳ２９：Ｎｏ）、当該選択された画素が重なり範囲にあると判断し、生成部１４１２は、クリアトナー版の画像データの対応する画素の画素値を、版優先情報で優先された版の画素値に設定する（ステップＳ３１）。
【０１０８】
そして、クリアプロセッシング５６は、ステップＳ４での判断と版優先情報で優先された版に応じて、グロッサ８０のオン又はオフを決定する（ステップＳ３２）。例えば、ウォータマークと鏡面光沢が重なった場合において、版優先情報がクリア版優先の場合には、ウォータマークが優先されるので、グロッサのオフを決定する。
【０１０９】
上記のようなステップＳ２４からＳ３１までの処理を、光沢制御版の画像データおよびクリア版の画像データの全ての画素について繰り返し実行する。これにより、重なり範囲において版優先情報で指定された版の画素値が設定されたクリアトナー版の画像データが生成されることになる。
【０１１０】
以下、具体例をあげて説明する。図２６は、ホスト装置１０の画像処理アプリケーションで生成された透明画像、すなわちウォーターマークの画像の一例を示す図である。図２６では、黒で示しているが、実際は透明かつ光沢である。
【０１１１】
図２７は、ホスト装置１０の画像処理アプリケーションで生成された有色版の画像データの一例を示す図である。図２７では図形の枠のみを示しているが、実際はＣＭＹＫで表現される色で塗られている。
【０１１２】
図２８は、図２６のウォーターマークに対応するクリア版の画像データを示す図である。図２９は、図２７に示す有色版の画像データに対して、表面効果としてつや消し効果を施す領域が指定された光沢制御版の画像データの一例を示す図である。図２９の例では、図２７で示される領域より狭い範囲につや消し効果を付与する例を示している。
【０１１３】
このような例において、版優先情報が光沢制御版優先と指定されている場合には、生成部１４１２は、図３０に示すクリアトナー版の画像データを生成する。図３０において、黒塗り部分がクリアトナーを均一に塗る部分で、網掛け部分が有色画像に対してつや消し効果を出すためのパターンでクリアトナーを塗る部分である。
【０１１４】
図３１は、図３０のクリアトナー版の画像データから得られる最終画像の図である。図３１に示すように、コーポレートロゴの部分は透明で光沢により視認性が現れるが、有色画像である図形と重なる部分は図のように欠ける形状となる。
【０１１５】
一方、版優先情報がクリア版優先と指定されている場合には、生成部１４１２は、図３２に示すクリアトナー版の画像データを生成する。図３３は、図３２のクリアトナー版の画像データから得られる最終画像の図である。図３３に示すように、ウォーターマークであるコーポレートロゴの部分は欠けることなく、全て印字される。一方つや消しを施す領域は一部が欠けた形となる。
【０１１６】
このように本実施の形態によれば、光沢制御版の画像データとクリア版の画像データのいずれかを優先するかを示す版優先情報を取得して、光沢制御版の指定と記クリア版の指定が重複する重なり範囲の画素において、版優先情報に基づいて、いずれか一方を選択してクリアトナー版に反映している。このため、本実施の形態では、ウォーターマークとつや消し等の表面効果との重なり範囲に関して一律にどちらかを優先する場合、重なり範囲について１つ１つ優先する版を指定することなく、一律に指定するだけで所望の画像を得ることができ、ユーザの便宜となる。
【０１１７】
（実施の形態２）
実施の形態１では、クリア版の画像データによるウォータマーク等の透明画像の指定と光沢制御版の画像データによる表面効果の指定が重複した領域である重なり範囲において、クリア版を優先するか,光沢制御版を優先するかを示す版優先情報に基づいていずれかの版の画像データの画素値をクリアトナー版の画像データに設定していた。この実施の形態２では、さらに表面効果の複数の種類それぞれと透明画像との間で異なる優先順位を定めた複数パターンを版優先情報として登録しておき、ユーザが指定した優先順位を版優先情報として取得して、いずれかの版の画像データの画素値をクリアトナー版の画像データに設定するものである。
【０１１８】
本実施の形態のホスト装置１０では、表示制御部１２１が、図９に示す版優先情報の設定画面に代えて、版優先情報である優先順位Ａ、優先順位Ｂ、優先順位Ｃ、優先順位Ｄをユーザに選択させる版優先情報の設定画面を表示し、ユーザに優先順位Ａ、優先順位Ｂ、優先順位Ｃ、優先順位Ｄのいずれかを選択させる。そして、ホスト装置１０のＩ／Ｆ部１１は、選択された優先順位を版優先情報としてＤＦＥ５０に送信する。表示制御部１２１、Ｉ／Ｆ部１１以外のホスト装置１０の機能、構成については実施の形態１と同様である。
【０１１９】
図３４は、実施の形態２の版優先情報の詳細を示す説明図である。図３４に示すように、本実施の形態の版優先情報は、優先順位Ａ、優先順位Ｂ、優先順位Ｃ、優先順位Ｄの４種類ある。「優先順位Ａ」には、つや消し指定とウォーターマーク等のクリア版の画像データが重なった場合はつや消しを採用し、地紋パターンとウォーターマークが重なった場合はウォーターマークを採用する優先順位が定められている。
【０１２０】
また、「優先順位Ｂ」には、つや消し指定とウォーターマーク等のクリア版の画像データが重なった場合はウォーターマークを採用し、地紋パターンとウォーターマークが重なった場合は地紋パターンを採用する優先順位が定められている。
【０１２１】
「優先順位Ｃ」には、ウォーターマーク等のクリア版の画像データに対する各表面効果の間で優先順位は変わらず、実施の形態１の版優先情報で光沢制御版優先が指定された場合と同様に、光沢制御版を優先することが定められている。
【０１２２】
「優先順位Ｄ」には、ウォーターマーク等のクリア版の画像データに対する各表面効果の間で優先順位は変わらず、実施の形態１の版優先情報でクリア版優先が指定された場合と同様に、クリア版を優先することが定められている。
【０１２３】
以上で説明したような図３４に示した版優先情報は、予めＤＦＥ５０のメモリやＨＤＤ等の記憶媒体に記憶されている。なお、図３４の例では、表面効果として、つや消しと地紋パターンを例にあげてているが、これは一例であり、この他の表面効果、例えば、鏡面光沢やベタ光沢にも適用可能である。
【０１２４】
ＤＦＥ５０のクリアプロセッシング５６の生成部１４１２は、ホスト装置１０から送信されてきた版優先情報の優先順位に対応する優先順位を選択し、クリア版の画像データ、光沢制御版の画像データの値が共に０以外となる画素において、版優先情報の優先順位に従って、クリアトナー版の画像データの画素値を決定する。
【０１２５】
図３５は、版優先情報が「優先順位Ａ」の場合の具体的な設定例を示す図である。生成部１４１２は、クリア版と光沢制御版の指定が重複する重なり範囲で、クリア版の画像データが２５５で光沢制御版が２（つや消し）である場合は、優先順位Ａの順位からつや消しを採用し、クリアトナー版の画像データの画素値に設定する。クリア版の画像データが２５５で光沢制御版が３（地紋パターン）である場合には、生成部１４１２は、優先順位Ａの順位からクリア版の画像データの値を採用し、クリアトナー版の画像データの画素値に設定する。
【０１２６】
クリアプロセッシング５６の生成部１４１２以外のＤＦＥ５０の機能、構成については実施の形態１と同様である。
【０１２７】
次に、以上のように構成された本実施の形態のクリアトナー版の画像データの生成処理について説明する。図３６は、実施の形態２のクリアトナー版の画像データの生成処理の手順を示すフローチャートである。
【０１２８】
ステップＳ２１からＳ２９，Ｓ３０までの処理は実施の形態１と同様である。本実施の形態では、ステップＳ２９で、各版の一方の画素の画素値が０で他方の画素の画素値が０以外でない場合には（ステップＳ２９：Ｎｏ）、当該選択された画素が重なり範囲にあると判断し、生成部１４１２は、クリアトナー版の画像データの対応する画素の画素値を、版優先情報の優先順位で優先された版の画素値に設定する（ステップＳ４１）。そして、実施の形態１と同様に、クリアプロセッシング５６は、ステップＳ４での判断と版優先情報で優先された版に応じて、グロッサ８０のオン又はオフを決定する（ステップＳ３２）。
【０１２９】
そして、ステップＳ２４からＳ４１までの処理を、光沢制御版の画像データおよびクリア版の画像データの全ての画素について繰り返し実行する。これにより、重なり範囲において版優先情報の優先順位に従って版の画素値が設定されたクリアトナー版の画像データが生成されることになる。
【０１３０】
このように本実施の形態によれば、光沢制御版の画像データの表面効果ごとに優先順位を定めて、重なり範囲でこの優先順位に従った版の画素値をクリアトナー版の画像データに設定してクリアトナー版の画像データを生成しているので、版優先情報の指定を一律としたままより細かく、光沢制御版の画像データの表面効果ごとに優先順位を反映した画像を得ることができ、ユーザの便宜となる。
【０１３１】
（実施の形態３）
実施の形態１では、クリア版の画像データによるウォータマーク等の透明画像の指定と光沢制御版の画像データによる表面効果の指定が重複した領域である重なり範囲において、クリア版を優先するか,光沢制御版を優先するかを示す版優先情報に基づいていずれかの版の画像データの画素値をクリアトナー版の画像データに設定していた。この実施の形態３では、領域を指定してクリア版を優先するか,光沢制御版を優先するかをユーザに指定させ、重なり範囲では領域ごとに版優先情報で指定された版の画像データの画素値をクリアトナー版の画像データに設定するものである。
【０１３２】
本実施の形態のホスト装置１０では、表示制御部１２１が、図９に示す版優先情報の設定画面に加え、クリア版優先、光沢制御版優先のそれぞれにつき、適用する領域の座標をユーザに指定させる画面を表示する。図３７は、領域指定する座標の一例を示す図である。図３７に示すように、領域指定は左上を原点とする座標を用いている。
【０１３３】
そして、ホスト装置１０のＩ／Ｆ部１１は、座標で指定された領域ごとの版優先情報をＤＦＥ５０に送信する。表示制御部１２１、Ｉ／Ｆ部１１以外のホスト装置１０の機能、構成については実施の形態１と同様である。
【０１３４】
図３８は、実施の形態３の版優先情報の詳細を示す説明図である。図３８に示すように、本実施の形態の版優先情報は、領域ごとに光沢制御版優先かクリア版優先かの優先指定がユーザの指示に従って登録されている。
【０１３５】
本実施の形態のＤＦＥ５０のクリアプロセッシング５６の生成部１４１２は、上記重なり範囲において、版優先情報において、領域に対して指定された版の画像データの画素値を、クリアトナー版の画像データの画素値に設定してクリアトナー版の画像データを生成する。
【０１３６】
クリアプロセッシング５６の生成部１４１２以外のＤＦＥ５０の機能、構成については実施の形態１と同様である。
【０１３７】
次に、以上のように構成された本実施の形態のクリアトナー版の画像データの生成処理について説明する。図３９は、実施の形態３のクリアトナー版の画像データの生成処理の手順を示すフローチャートである。
【０１３８】
ステップＳ２１からＳ２４までの処理は実施の形態１と同様である。本実施の形態では、ステップＳ２４で各版の画素を選択した後、選択した画素が属する領域を判定する（ステップＳ５１）。そして、実施の形態１と同様に、ステップＳ２７からＳ２９，Ｓ３０までの処理を実行する。本実施の形態では、ステップＳ２９で、各版の一方の画素の画素値が０で他方の画素の画素値が０以外でない場合には（ステップＳ２９：Ｎｏ）、当該選択された画素が重なり範囲にあると判断し、生成部１４１２は、クリアトナー版の画像データの対応する画素の画素値を、ステップＳ５１で判定された当該画素が属する領域の版優先情報（優先指定）で優先された版の画素値に設定する（ステップＳ５２）。
【０１３９】
そして、ステップＳ２４からＳ４１までの処理を、光沢制御版の画像データおよびクリア版の画像データの全ての画素について繰り返し実行する。これにより、重なり範囲において版優先情報の優先順位に従って版の画素値が設定されたクリアトナー版の画像データが生成されることになる。
【０１４０】
図４０は、実施の形態３の処理で出力された印刷物の一例を示す図である。図４０に示すように、この印刷物には、ウォーターマークとしてコーポレートロゴが印字され、さらにその上に単純図形が配置されている。コーポレートロゴは、実際は透明かつ光沢であるが図４０では説明の都合上黒字で示している。図４０において、領域Ａでは、一律、光沢制御優先とされ、単純図形に対してつや消し効果の指定された箇所では一律コーポレートロゴは印字されない。また、図４０において、領域Ｂでは、一律、クリア版優先（ウォータマーク優先）とされ、単純図形のつや消し効果の影響を一切受けずにその全域でコーポレートロゴが印字される。
【０１４１】
このように本実施の形態によれば、領域を指定してクリア版を優先するか,光沢制御版を優先するかをユーザに指定させ、重なり範囲では領域ごとに版優先情報で指定された版の画像データの画素値をクリアトナー版の画像データに設定してクリアトナー版の画像データを生成しているので、ユーザが希望する領域ごとに、ウォーターマーク等の透明画像を常に確保したり、あるいは有色画像の表面効果を確保することができ、ユーザの便宜となる。
【０１４２】
（実施の形態４）
実施の形態１〜３では、ホスト装置１０に版データ生成部１２２と印刷データ生成部１２３を設け、ＤＦＥ５０にクリアプロセッシング５６を設け、ホスト装置１０で、有色版データ、クリア版データおよび光沢制御版データの生成を行う版データ生成処理、印刷データの生成処理、ＤＦＥ５０で、クリアトナー版データの生成処理を行うように構成したが、これに限定されるものではない。
【０１４３】
すなわち、一の装置で行っていた複数の処理のいずれかを、一の装置とネットワークを介して接続する１以上の他の装置で行う構成にしてもよい。
【０１４４】
その一例として、実施の形態４の画像形成システムでは、ホスト装置およびＤＦＥの機能の一部を、ネットワーク上のサーバ装置上に実装している。
【０１４５】
図４１は、実施の形態４に係る画像形成システムの構成を例示する図である。図４１に示すように、本実施の形態の画像形成システムは、ホスト装置３０１０と、ＤＦＥ３０５０と、ＭＩＣ６０と、プリンタ機７０と、グロッサ８０と、低温定着機９０と、クラウド上のサーバ装置３０６０とを備えている。グロッサ８０や低温定着機９０等の後処理装置は、これらに限定されるものではない。
【０１４６】
本実施の形態では、ホスト装置３０１０とＤＦＥ６０とがインターネット等のネットワークを介して、サーバ装置３０６０と接続された構成となっている。また、本実施の形態では、実施の形態１のホスト装置１０の版データ生成部と印刷データ生成部、および実施の形態１のＤＦＥ５０のクリアプロセッシングを、サーバ装置３０６０に設けた構成となっている。
【０１４７】
ここで、ホスト装置３０１０、ＤＦＥ３０５０、ＭＩＣ６０、プリンタ機７０、グロッサ８０、低温定着機９０の接続構成は、実施の形態１と同様である。
【０１４８】
すなわち、具体的には、実施の形態４では、ホスト装置３０１０とＤＦＥ３０５０とがインターネット等のネットワーク（クラウド）を介して、単一のサーバ装置３０６０に接続し、サーバ装置３０６０は版データ生成部３０６２、印刷データ生成部３０６３、クリアプロセッシング３０６６を設け、サーバ装置３０６０で、有色版データ、クリア版データおよび光沢制御版データの生成を行う版データ生成処理、印刷データの生成処理、クリアトナー版データの生成処理を行うように構成している。
【０１４９】
まず、本実施の形態のホスト装置３０１０について説明する。図４２は、実施の形態４にかかるホスト装置３０１０の機能的構成を示すブロック図である。本実施の形態のホスト装置３０１０は、図４２に示すように、Ｉ／Ｆ部３０１１と、記憶部１２と、入力部１３と、表示部１４と、制御部３０１５とを含んで構成される。Ｉ／Ｆ部３０１１は、サーバ装置３０６０およびＤＦＥ３０５０との間で通信を行うためのインタフェース装置である。記憶部１２、入力部１３、表示部１４は、実施の形態１のホスト装置１０と同様の機能および構成である。
【０１５０】
制御部３０１５は、ホスト装置３０１０全体を制御し、ＣＰＵ、ＲＯＭおよびＲＡＭなどを含んで構成されるコンピュータである。図４２に示すように、制御部３０１５は、入力制御部１２４と、画像処理部１２０と、表示制御部１２１とを主に備えている。これらの各部のうち入力制御部１２４と表示制御部１２１は、制御部３０１５のＣＰＵがＲＯＭ等に格納されたオペレーティングシステムのプログラムを読み出してＲＡＭ上に展開して実行することにより実現される。画像処理部１２０は、制御部３０１５のＣＰＵがＲＯＭ等に格納された上述の画像処理アプリケーションのプログラムを読み出してＲＡＭ上に展開して実行することにより実現される。なお、これらの各部のうちの少なくとも一部を個別の回路（ハードウェア）で実現することも可能である。入力制御部１２４、表示制御部１２１、画像処理部１２０の機能および構成は実施の形態１と同様である。従って、実施の形態１と同様に、版優先情報がユーザにより指定され、ＤＦＥ３０５０に送信される。
【０１５１】
本実施の形態のホスト装置３０１０では、実施の形態１と同様に、記憶部１２に記憶された各種画像（例えば写真、文字、図形、これらを合成した画像等）のうち表面効果を与えるべき画像、すなわち有色版の画像データ（対象画像）を指定する画像指定情報、表示部１４に表示された対象画像をユーザが確認しながら、入力部１３を操作することにより、表面効果を与える領域および当該表面効果の種類の指定と、ウォータマークやテクスチャ等の透明画像及び透明画像を付与する領域の指定とを含む指定情報を入力制御部１２４で受け付ける。この指定情報のうち、表面効果を与える領域および当該表面効果の種類の指定に基づき、サーバ装置３０６０によって光沢制御版の画像データが生成される。また、指定情報のうち、ウォータマークやテクスチャ等の透明画像及び透明画像を付与する領域の指定に基づき、サーバ装置３０６０によってクリア版の画像データが生成される。なお、各版の画像データの生成については後述する。
【０１５２】
また、これ以降、指定情報のうち、表面効果を与える領域および当該表面効果の種類の指定を、単に「表面効果の指定」と呼ぶ場合がある。また、指定情報のうち、ウォータマークやテクスチャ等の透明画像及び透明画像を付与する領域の指定を、単に「透明画像の指定」と呼ぶ場合がある。
【０１５３】
Ｉ／Ｆ部３０１１は、画像指定情報および指定情報とともに、印刷データの生成要求を、サーバ装置３０６０に送信する。また、Ｉ／Ｆ部３０１１は、かかる生成要求によりサーバ装置３０６０で生成された印刷データを、サーバ装置３０６０から受信する。ここで、光沢制御版の画像データ、有色版の画像データ、クリア版の画像データは、実施の形態１の各画像データと同様である。また、印刷データは、有色版の画像データ、光沢制御版の画像データ、クリア版の画像データおよびジョブコマンドを統合したものであり、図１１に示した実施の形態１の印刷データと同様である。
【０１５４】
次に、サーバ装置３０６０について説明する。図４３は、実施の形態４にかかるサーバ装置３０６０の機能的構成を示すブロック図である。サーバ装置３０６０は、図４３に示すように、記憶部３０７０と、版データ生成部３０６２と、印刷データ生成部３０６３と、クリアプロセッシング３０６６と、通信部３０６５とを主に備えている。
【０１５５】
記憶部３０７０は、ＨＤＤやメモリ等の記憶媒体であり、濃度値選択テーブル３０６９と、表面効果選択テーブル３０６８とを記憶している。濃度値選択テーブル３０６９は、図１０を用いて説明した実施の形態１の濃度値選択テーブルと同様である。表面効果選択テーブル３０６８は、図１６を用いて説明した実施の形態１の表面効果選択テーブルと同様である。
【０１５６】
通信部３０６５は、ホスト装置３０１０、ＤＦＥ３０５０との間で各種データや要求の送受信を行う。より具体的には、通信部３０６５は、ホスト装置３０１０から、画像指定情報および指定情報と、印刷データの生成要求とを受信し、生成された印刷データをホスト装置３０１０に送信する。また、通信部３０６５は、ＤＦＥ３０５０から、８ビットの光沢制御版の画像データと、８ビットの有色版の画像データと、クリアトナー版の生成要求とを受信し、生成されたクリアトナー版の画像データとオンオフ情報とをＤＦＥ３０５０に送信する。
【０１５７】
版データ生成部３０６２は、実施の形態１のホスト装置１０における版データ生成部と同様の機能を有し、有色版の画像データ、光沢制御版の画像データ、クリア版の画像データを生成する。
【０１５８】
具体的には、版データ生成部３０６２は、画像指定情報に基づいて有色版の画像データを生成する。すなわち、版データ生成部３０６２は、画像指定情報に、対象画像の描画オブジェクトに対するユーザによる色指定が含まれる場合、当該色指定に従って、有色版の画像データを生成する。
【０１５９】
また、版データ生成部３０６２は、指定情報に、表面効果以外のウォータマークやテクスチャ等の透明画像及び透明画像を付与する領域の指定が含まれる場合、ユーザによる指定情報の指定に従って、透明画像および透明画像を付与する紙における領域とを特定するためのクリア版の画像データを生成する。
【０１６０】
また、版データ生成部３０６２は、濃度値選択テーブル３０６９を参照して、指定情報の中の表面効果を与える領域および当該表面効果の種類の指定に基づいて、紙において表面効果が与えられる領域および当該表面効果の種類を特定可能な光沢制御版の画像データを生成する。ここで、版データ生成部３０６２は、光沢制御値で示す表面効果を付与する領域を、対象画像の画像データの描画オブジェクトの単位で指定した光沢制御版の画像データ（図４、図１３参照）を生成する。
【０１６１】
本実施の形態の印刷データ生成部３０６３は、実施の形態１のホスト装置１０の印刷データ生成部と同様に、図１１に示す印刷データを生成する。
【０１６２】
クリアプロセッシング３０６６は、実施の形態１のＤＦＥ５０におけるクリアプロセッシングと同様の機能を有している。従って、クリアプロセッシング３０６６の機能的構成は、図１５に示す機能的構成と同様である。具体的には、クリアプロセッシング３０６６は、通信部３０６５でＤＦＥ３０５０から受信した光沢制御版の画像データを用い、表面効果選択テーブル３０６８を参照して、光沢制御版の画像データを構成する各画素の表す濃度値（画素値）に対する表面効果を判断して、当該判断に応じて、グロッサ８０のオン又はオフを決定すると共に、入力されたＣＭＹＫの各８ビットの画像データを用いてインバースマスクやベタマスクを適宜生成することにより、クリアトナーを付着させるための２ビットのクリアトナー版の画像データを適宜生成する。そして、表面効果の判断の結果に応じて、クリアプロセッシング３０６６は、プリンタ機７０で用いるクリアトナー版の画像データと、低温定着機９０で用いるクリアトナー版の画像データとを適宜生成してこれらを出力すると共に、グロッサ８０のオン又はオフを示すオンオフ情報を生成する。
【０１６３】
また、クリアプロセッシング３０６６は、実施の形態１〜３と同様に、クリアトナー版の画像データを生成する際に、重なり判定部１４１１よって、光沢制御版の画像データに濃度値（光沢制御値）が指定された領域と、クリア版の画像データで濃度値が指定された領域との重なり範囲がある場合には、この重なり範囲において、版優先情報に基づいて、光沢制御版の画像データで指定された濃度値、クリア版の画像データで指定された濃度値のいずれか一方をクリアトナー版の画像データに設定する。
【０１６４】
次に、ＤＦＥ３０５０について説明する。図４４は、実施の形態４のＤＦＥ３０５０の機能的構成を示すブロック図である。本実施の形態のＤＦＥ３０５０は、レンダリングエンジン５１と、ｓｉ１部５２と、ＴＲＣ５３と、ｓｉ２部３０５４と、ハーフトーンエンジン５５と、ｓｉ３部５７とを主に備えている。ここで、レンダリングエンジン５１、ｓｉ１部５２、ＴＲＣ５３、ハーフトーンエンジン５５、ｓｉ３部５７の機能および構成については実施の形態１のＤＦＥ５０と同様である。
【０１６５】
本実施の形態のｓｉ２部３０５４は、ＴＲＣ５３によるガンマ補正後の８ビットの光沢制御版の画像データと、ＣＭＹＫの８ビットの有色版の画像データと、クリアトナー版の生成要求とを、サーバ装置３０６０に送信し、サーバ装置３０６０から、クリアトナー版の画像データとオンオフ情報とを受信する。
【０１６６】
次に、以上のように構成された本実施の形態に係る画像形成システムによる印刷処理に必要なクリアトナー版の画像データの生成処理ついて説明する。まず、クリアトナー版の画像データの生成処理の全体の流れについて説明する。図４５は、実施の形態４にかかるクリアトナー版の画像データの生成処理の全体の流れを示すシーケンス図である。
【０１６７】
まず、ホスト装置３０１０がユーザから画像指定情報および指定情報を入力し（ステップＳ３２０１）、画像指定情報および指定情報とともに印刷データ生成要求をサーバ装置３０６０に送信する（ステップＳ３２０２）。
【０１６８】
サーバ装置３０６０では、画像指定情報および指定情報とともに印刷データ生成要求を受信し、有色版の画像データ、光沢制御版の画像データ、クリア版の画像データをそれぞれ生成する（ステップＳ３２０３）。そして、サーバ装置３０６０は、これらの画像データから印刷データを生成し（ステップＳ３２０４）、生成した印刷データをホスト装置３０１０に送信する（ステップＳ３２０５）。
【０１６９】
ホスト装置３０１０では、印刷データを受信すると、この印刷データをＤＦＥ３０５０に送信する（ステップＳ３２０６）。
【０１７０】
ＤＦＥ３０５０では、印刷データをホスト装置３０１０から受信すると、印刷データを解析して、有色版の画像データ、光沢制御版の画像データ、クリア版の画像データを得て、これらの画像データに変換や補正等を行う（ステップＳ３２０７）。そして、ＤＦＥ３０５０は、有色版の画像データ、光沢制御版の画像データ、クリア版の画像データと、クリアトナー版生成要求とを、サーバ装置３０６０に送信する（ステップＳ３２０８）。
【０１７１】
サーバ装置３０６０は、有色版の画像データ、光沢制御版の画像データ、クリア版の画像データと、クリアトナー版生成要求とを受信すると、オンオフ情報を決定し（ステップＳ３２０９）、クリアトナー版の画像データを生成する（ステップＳ３２１０）。そして、サーバ装置３０６０は、生成したクリアトナー版の画像データをＤＦＥ３０５０に送信する（ステップＳ３２１１）。
【０１７２】
以下、上記の全体の流れにおけるホスト装置３０１０、サーバ装置３０６０、ＤＦＥ３０５０の連携による各処理の詳細について説明する。まず、ホスト装置３０１０とサーバ装置３０６０による光沢制御版の画像データおよび印刷データの生成処理について説明する。図４６は、実施の形態４のホスト装置３０１０による処理の手順を示すフローチャートである。
【０１７３】
まず、入力制御部１２４が画像指定情報の入力を受け付けた場合（ステップＳ３３０１：ＹＥＳ）、表示制御部１２１は、受け付けた画像指定情報で指定された画像を表示するように表示部１４を制御する（ステップＳ３３０２）。次に、入力制御部１２４が表面効果や透明画像の指定情報の入力を受け付けた場合（ステップＳ３３０３：ＹＥＳ）、Ｉ／Ｆ部３０１１は、サーバ装置３０６０に対して、印刷データの生成要求を、入力された画像指定情報および指定情報とともに送信する（ステップＳ３３０４）。
【０１７４】
そして、サーバ装置３０６０で、印刷データが生成されたら、Ｉ／Ｆ部３０１１がこれらのデータを受信する（ステップＳ３３０５）。そして、Ｉ／Ｆ部３０１１は、印刷データをＤＦＥ３０５０に送信する（ステップＳ３３０６）。
【０１７５】
図４７は、実施の形態４にかかるサーバ装置３０６０による光沢制御版の画像データおよび印刷データの生成処理の手順を示すフローチャートである。通信部３０６５が、ホスト装置３０１０から印刷データの生成要求と画像指定情報と指定情報とを受信したら（ステップＳ３４０１）、版データ生成部３０６２は、まず、画像指定情報に基づいて、有色版の画像データを生成する（ステップＳ３４０２）。
【０１７６】
次に、版データ生成部３０６２は、オペレーティングシステム等で提供される描画コマンドおよび描画コマンドで設定された座標値等を用いて、指定情報により対象画像に対して表面効果が付与された描画オブジェクトとその座標を特定する（ステップＳ３４０３）。
【０１７７】
次に、版データ生成部３０６２は、記憶部３０７０に保存されている濃度値選択テーブルを参３０６９照して、指定情報でユーザが付与した表面効果に対応する光沢制御値としての濃度値を決定する（ステップＳ３４０４）。
【０１７８】
そして、版データ生成部３０６２は、光沢制御版の画像データ（当初は空データ）に、描画オブジェクトと、表面効果に対応して決定された濃度値とを対応付けて登録する（ステップＳ３４０５）。
【０１７９】
次に、版データ生成部３０６２は、対象画像に存在する全ての描画オブジェクトに対して上記ステップＳ３４０２からＳ３４０４までの処理を完了したか否かを判断する（ステップＳ３４０６）。そして、まだ完了していない場合には（ステップＳ３４０６：Ｎｏ）、版データ生成部３０６２は、対象画像中でまだ未処理の次の描画オブジェクトを選択して（ステップＳ３４０７）、ステップＳ３４０３からＳ３４０５までの処理を繰り返し実行する。
【０１８０】
そして、ステップ３４０６において、対象画像中の全ての描画オブジェクトに対してステップＳ３４０３からＳ３４０５までの処理を完了したと判断された場合には（ステップＳ３４０６：Ｙｅｓ）、光沢制御版の画像データの生成を完了し、図４，図１３に示す光沢制御版の画像データが得られる。
【０１８１】
次に、版データ生成部３０６２は、指定情報の中の透明画像の指定に基づいて、クリア版の画像データを生成する（ステップＳ３４０８）。
【０１８２】
そして、印刷データ生成部３０６３は、有色版の画像データ、光沢制御版の画像データ、クリア版の画像データとを統合した原稿データを生成し、この統合された原稿データにジョブコマンドを追加して、図１１に示したＰＤＦ形式の印刷データを生成する（ステップＳ３４０９）。そして、通信部３０６５は、生成された印刷データを、ホスト装置３０１０に送信する（ステップＳ３４１０）。
【０１８３】
次に、ＤＦＥ３０５０とサーバ装置３０６０によるクリアトナー版の画像データの生成処理について説明する。図４８は、ＤＦＥ３０５０による処理の手順を示すフローチャートである。
【０１８４】
ＤＦＥ３０５０がホスト装置３０１０から印刷データを受信すると（ステップＳ３６０１）、レンダリングエンジン５１は、これを言語解釈して、ベクター形式で表現される光沢制御版の画像データをラスタ形式に変換すると共に、ＲＧＢ形式で表現された色空間をＣＭＹＫ形式の色空間に変換して、ＣＭＹＫの色版の各８ビットの画像データ、８ビットの光沢制御版の画像データおよび８ビットのクリア版の画像データを得る（ステップＳ３６０２）。
【０１８５】
このステップＳ３６０２における、光沢制御版の画像データの変換処理の詳細については、実施の形態１の光沢制御版の画像データの変換処理と同様である。かかる変換処理により、光沢制御版の画像データは、画素ごとに表面効果が設定されたデータに変換される。
【０１８６】
８ビット光沢制御版の画像データが出力されたら、ＤＦＥ３０５０のＴＲＣ５３は、ＣＭＹＫの有色版の各８ビットの画像データに対してキャリブレーションにより生成された１Ｄ＿ＬＵＴのガンマカーブでガンマ補正を行い、ハーフトーンエンジン５５はガンマ補正後の画像データに対して、プリンタ機７０に出力するためのＣＭＹＫの各２ビットの画像データのデータ形式に変換するハーフトーン処理を行い、ハーフトーン処理後のＣＭＹＫの各２ビットの画像データを得る（ステップＳ３６０３）。
【０１８７】
そして、ｓｉ２部３０５４は、８ビット光沢制御版の画像データ、ガンマ補正後のＣＭＹＫの有色版の各８ビットの画像データおよび８ビットのクリア版の画像データとともに、クリアトナー版の生成要求を、サーバ装置３０６０に送信する（ステップＳ３６０４）。
【０１８８】
ここで、サーバ装置３０６０によるクリアトナー版の画像データの生成処理について説明する。図４９は、サーバ装置３０６０によるクリアトナー版の画像データの生成処理の手順を示すフローチャートである。
【０１８９】
サーバ装置３０６０では、通信部３０６５が、ＤＦＥ３０５０から８ビットの光沢制御版の画像データ、ガンマ補正後のＣＭＹＫの有色版の各８ビットの画像データおよび８ビットのクリア版の画像データと、クリアトナー版の生成要求とを受信する（ステップＳ３７０１）。
【０１９０】
そして、クリアプロセッシング３０６６は、８ビットの光沢制御版の画像データを用いて、記憶部３０７０の表面効果選択テーブル３０６８を参照して、光沢制御版の画像データによって示される各画素値に対して指定された表面効果を判断する。そして、クリアプロセッシング３０６６は、光沢制御版の画像データを構成する全ての画素について、このような判断を行う。尚、光沢制御版の画像データにおいては、各表面効果を与える領域を構成する全ての画素について基本的に同一の範囲の濃度値を表す。このため、同一の表面効果であると判断した近傍の画素については、クリアプロセッシング３０６６は、同一の表面効果を与える領域に含まれるものとして判断する。このようにして、クリアプロセッシング３０６６は、表面効果を与える領域と、当該領域に対して与える表面効果の種類とを判断し、当該判断に応じて、グロッサ８０のオン又はオフを決定する（ステップＳ３７０２）。
【０１９１】
次に、クリアプロセッシング３０６６は、ガンマ補正後のＣＭＹＫの各８ビットの有色版の画像データ、８ビットの光沢制御版の画像データおよび８ビットのクリア版の画像データを適宜用いて、クリアトナーを付着させるための８ビットのクリアトナー版の画像データを適宜生成する（ステップＳ３７０３）。これにより、サーバ装置３０６０側で８ビットのクリアトナー版の画像データとオンオフ情報が生成されることになる。
【０１９２】
そして、通信部３０６５は、クリアプロセッシング３０６６で生成された８ビットのクリアトナー版の画像データおよびオンオフ情報を、ＤＦＥ３０５０に送信する（ステップＳ３７０４）。
【０１９３】
図４８に戻り、ＤＦＥ３０５０は、クリアトナー版の生成要求をサーバ装置３０６０に送信した後、ｓｉ２部３０５４がサーバ装置３０６０から、８ビットのクリアトナー版の画像データおよびオンオフ情報を受信する（ステップＳ３６０５）。
【０１９４】
そして、ハーフトーンエンジン５５は、ハーフトーン処理により、８ｂｉｔの画像データを用いた８ビットのクリアトナー版の画像データを２ビットのクリアトナー版の画像データに変換する（ステップＳ３６０６）。
【０１９５】
次に、ＤＦＥ３０５０のＳｉ３部５７は、ステップＳ３６０３で得たハーフトーン処理後のＣＭＹＫの各２ビットの画像データと、ステップＳ３６０６で生成した２ビットのクリアトナー版の画像データとを統合し、統合した画像データと、ステップＳ３６０５で受信したグロッサ８０のオン又はオフを示すオンオフ情報とをＭＩＣ６０に対して出力する（ステップＳ３６０７）。
【０１９６】
尚、サーバ装置３０６０でクリアトナー版の画像データを生成していない場合には、ステップＳ３６０７では、ステップＳ３６０３で得たハーフトーン処理後のＣＭＹＫの各２ビットの画像データのみが統合されてＭＩＣ６０に出力される。
【０１９７】
これ以降のＭＩＣ６０、プリンタ機７０，グロッサ８０、低温定着機９０における処理については、実施の形態１と同様に行われる。
【０１９８】
このように本実施の形態では、有色版の画像データ、光沢制御版の画像データ、クリア版の画像データ、印刷データ、クリアトナー版の画像データの生成を、クラウド上のサーバ装置３０６０で行っているので、実施の形態１の効果の他、複数のホスト装置３０１０やＤＦＥ３０５０が存在する場合でも、濃度値選択テーブルや表面効果選択テーブルの変更等も一括して行うことができ、管理者の便宜となる。
【０１９９】
なお、本実施の形態では、クラウド上の単一のサーバ装置３０６０に、版データ生成部３０６２、印刷データ生成部３０６３、クリアプロセッシング３０６６を設け、サーバ装置３０６０で、有色版データ、クリア版データおよび光沢制御版データの生成を行う版データ生成処理、印刷データの生成処理、クリアトナー版データの生成処理を行うように構成したが、これに限定されるものではない。
【０２００】
例えば、クラウド上に２以上のサーバ装置を設け、上記各処理を、２以上のサーバ装置で分散させて実行するように構成してもよい。図５０は、クラウド上に２つのサーバ（第１サーバ装置３８６０と第２サーバ装置３８６１）を設けたネットワーク構成図である。図５０の例では、第１サーバ装置３８６０と第２サーバ装置３８６１とで、有色版データ、クリア版データおよび光沢制御版データの生成を行う版データ生成処理、印刷データの生成処理、クリアトナー版データの生成処理を分散して行うように構成する。
【０２０１】
例えば、第１サーバ装置３８６０に版データ生成部３０６２、印刷データ生成部３０６３を設け、第１サーバ装置３８６０で版データ生成処理、印刷データ生成処理を行うように構成し、第２サーバ装置３８６１にクリアプロセッシング３０６６を設け、第２サーバ装置３８６１でクリアトナー版データ生成処理を実行するように構成することができる。なお、各処理の各サーバ装置への分散の形態はこれに限定されるものではなく、任意に行うことができる。
【０２０２】
すなわち、ホスト装置３０１０に入力部１３，入力制御部１２４、画像処理部１２０、表示制御部１２１、表示部１４等の最低限の構成を設ければ、版データ生成部３０６２、印刷データ生成部３０６３、クリアプロセッシング３０６６の一部または全部をクラウド上のの一つのサーバ装置に集中して設けたり、複数のサーバ装置に分散させて設けたりすることは任意に行うことができる。
【０２０３】
言い換えると、上述の例のように、一の装置で行っていた複数の処理のいずれかを、一の装置とネットワークを介して接続する１以上の他の装置で行う構成にすることができる。
【０２０４】
また、上記の「一の装置とネットワークを介して接続する１以上の他の装置で行う構成」の場合、一の装置で行われた処理で発生したデータ（情報）を一の装置から他の装置に出力する処理、そのデータを他の装置が入力する処理等、一の装置と他の装置間、さらには、他の装置間同士で行われるデータの入出力処理を含むような構成となる。
【０２０５】
つまり、他の装置が１つの場合では、一の装置と他の装置間で行われるデータの入出力処理を含むような構成となり、他の装置が２以上の場合では、一の装置と他の装置間、及び、第一の他の装置・第二の他の装置間のように他の装置間同士でデータの入出力処理を含むような構成となる。
【０２０６】
また、実施の形態４では、サーバ装置３０６０、あるいは第１サーバ装置３８６０および第２サーバ装置３８６１などの複数のサーバ装置を、クラウド上に設けているが、これい限定されるものではない。例えば、サーバ装置３０６０、あるいは第１サーバ装置３８６０および第２サーバ装置３８６１などの複数のサーバ装置を、イントラネット上に設ける等、あらゆるネットワーク上に設けた構成としてもよい。
【０２０７】
上述した実施の形態のホスト装置１０、３０１０、ＤＦＥ５０、３０５０、サーバ装置３０６０、第１サーバ装置３８６０、第２サーバ装置３８６１のハードウェア構成について説明する。図５１は、ホスト装置１０、３０１０、ＤＦＥ５０、３０５０、サーバ装置３０６０のハードウェア構成図である。ホスト装置１０、３０１０、ＤＦＥ５０、３０５０、サーバ装置３０６０、第１サーバ装置３８６０、第２サーバ装置３８６１は、ハードウェア構成として、装置全体を制御するＣＰＵなどの制御装置２９０１と、各種データや各種プログラムを記憶するＲＯＭやＲＡＭなどの主記憶装置２９０２と、各種データや各種プログラムを記憶するＨＤＤなどの補助記憶装置２９０３と、キーボードやマウス等の入力装置２９０５と、ディスプレイ装置等の表示装置２９０４とを主に備えており、通常のコンピュータを利用したハードウェア構成となっている。
【０２０８】
上記実施の形態のホスト装置１０、３０１０で実行される画像処理プログラム（画像処理アプリケーションを含む。以下同。）は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【０２０９】
また、上記実施の形態のホスト装置１０、３０１０で実行される画像処理プログラムを、インターネット等のネットワークに接続されたコンピュータ上に格納し、ネットワーク経由でダウンロードさせることにより提供するように構成しても良い。また、上記実施の形態のホスト装置１０で実行される画像処理プログラムをインターネット等のネットワーク経由で提供または配布するように構成しても良い。
【０２１０】
また、上記実施の形態のホスト装置１０、３０１０で実行される画像処理プログラムを、ＲＯＭ等に予め組み込んで提供するように構成してもよい。
【０２１１】
上記実施の形態のホスト装置１０、３０１０で実行される画像処理プログラムは、上述した各部（画像処理部、版データ生成部、印刷データ生成部、入力制御部、表示制御部）を含むモジュール構成となっており、実際のハードウェアとしてはＣＰＵ（プロセッサ）が上記記憶媒体から画像処理プログラムを読み出して実行することにより上記各部が主記憶装置上にロードされ、画像処理部、版データ生成部、印刷データ生成部、入力制御部、表示制御部が主記憶装置上に生成されるようになっている。
【０２１２】
また、上記実施の形態のＤＦＥ５０、３０５０で実行される印刷制御処理は、ハードウェアで実現する他、ソフトウェアとしての印刷制御プログラムで実現してもよい。この場合において、上記実施の形態のＤＦＥ５０、３０５０で実行される印刷制御プログラムは、ＲＯＭ等に予め組み込まれて提供される。
【０２１３】
上記実施の形態のＤＦＥ５０、３０５０で実行される印刷制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録してコンピュータプログラムプロダクトとして提供するように構成してもよい。
【０２１４】
さらに、上記実施の形態のＤＦＥ５０、３０５０で実行される印刷制御プログラムを、インターネット等のネットワークに接続されたコンピュータ上に格納し、ネットワーク経由でダウンロードさせることにより提供するように構成しても良い。また、上記実施の形態のＤＦＥ５０，３０５０で実行される印刷制御プログラムをインターネット等のネットワーク経由で提供または配布するように構成しても良い。
【０２１５】
上記実施の形態のＤＦＥ５０、３０５０で実行される印刷制御プログラムは、上述した各部（レンダリングエンジン、ハーフトーンエンジン、ＴＲＣ、ｓｉ１部、ｓｉ２部、ｓｉ３部、クリアプロセッシング）を含むモジュール構成となっており、実際のハードウェアとしてはＣＰＵ（プロセッサ）が上記ＲＯＭから印刷制御プログラムを読み出して実行することにより上記各部が主記憶装置上にロードされ、レンダリングエンジン、ハーフトーンエンジン、ＴＲＣ、ｓｉ１部、ｓｉ２部、ｓｉ３部、クリアプロセッシングとして主記憶装置上に生成されるようになっている。
【０２１６】
また、上記実施の形態のサーバ装置３０６０で実行される各データの生成処理は、ハードウェアで実現する他、ソフトウェアとしての生成プログラムで実現してもよい。この場合において、上記実施の形態のサーバ装置３０６０で実行される生成プログラムは、ＲＯＭ等に予め組み込まれて提供される。
【０２１７】
上記実施の形態のサーバ装置３０６０で実行される各データの生成処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録してコンピュータプログラムプロダクトとして提供するように構成してもよい。
【０２１８】
さらに、上記実施の形態のサーバ装置３０６０で実行される各データの生成処理プログラムを、インターネット等のネットワークに接続されたコンピュータ上に格納し、ネットワーク経由でダウンロードさせることにより提供するように構成しても良い。また、上記実施の形態のサーバ装置３０６０で実行される各データの生成処理プログラムをインターネット等のネットワーク経由で提供または配布するように構成しても良い。
【０２１９】
上記サーバ装置３０６０で実行される各データの生成処理プログラムは、上述した各部（版データ生成部、印刷データ生成部、クリアプロセッシング）を含むモジュール構成となっており、実際のハードウェアとしてはＣＰＵ（プロセッサ）が上記ＲＯＭから生成プログラムを読み出して実行することにより上記各部が主記憶装置上にロードされ、版データ生成部、印刷データ生成部、クリアプロセッシングとして主記憶装置上に生成されるようになっている。
【０２２０】
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【０２２１】
上述した実施の形態において、画像形成システムは、ホスト装置１０，３０１０、ＤＦＥ５０，３０５０，ＭＩＣ６０、プリンタ機７０、グロッサ８０及び低温定着機９０を備えるように構成したが、これに限らない。例えば、ＤＦＥ５０、３０５０、ＭＩＣ６０及びプリンタ機７０を一体的に形成して１つの画像形成装置として構成するようにしても良いし、更に、グロッサ８０及び低温定着機９０を備えた画像形成装置として形成するようにしても良い。また、ホスト装置１０、３０１０と、ＤＦＥ５０とを単一の装置として構成してもよい。
【０２２２】
上述した実施の形態の画像形成システムにおいては、ＣＭＹＫの複数の色のトナーを用いて画像を形成するようにしたが、１色のトナーを用いて画像を形成するようにしても良い。
【０２２３】
なお、上述した実施の形態のプリンタシステムは、ＭＩＣ６０を備えた構成としているが、これに限定されるものではない。上述したＭＩＣ６０が行う処理、機能をＤＦＥ５０等の他の装置にもたせて、ＭＩＣ６０を設けない構成としてもよい。
【符号の説明】
【０２２４】
１０，３０１０  ホスト装置
１１，３０１１  Ｉ／Ｆ部
１２  記憶部
１３  入力部
１４  表示部
１５，３０１５  制御部
５０，３０５０  ＤＦＥ
５１  レンダリングエンジン
５２  ｓｉ１部
５３  ＴＲＣ
５４，３０５４  ｓｉ２部
５５  ハーフトーンエンジン
５６，３０６６  クリアプロセッシング
５７  ｓｉ３部
６０  ＭＩＣ
７０  プリンタ機
８０  グロッサ
９０  低温定着機
１００  通常定着機
１２０  画像処理部
１２１  表示制御部
１２２，３０６２  版データ生成部
１２３，３０６３  印刷データ生成部
１２４  入力制御部
３０６０  サーバ装置
３８６０  第１サーバ装置
３８６１  第２サーバ装置
【先行技術文献】
【特許文献】
【０２２５】
【特許文献１】特許第３０６６９９５号公報
【図１】
0005845986.tif 000002
【図２】
0005845986.tif 000003
【図３】
0005845986.tif 000004
【図４】
0005845986.tif 000005
【図５】
0005845986.tif 000006
【図６】
0005845986.tif 000007
【図７】
0005845986.tif 000008
【図８】
0005845986.tif 000009
【図９】
0005845986.tif 000010
【図１０】
0005845986.tif 000011
【図１１】
0005845986.tif 000012
【図１２】
0005845986.tif 000013
【図１３】
0005845986.tif 000014
【図１４】
0005845986.tif 000015
【図１５】
0005845986.tif 000016
【図１６】
0005845986.tif 000017
【図１７】
0005845986.tif 000018
【図１８】
0005845986.tif 000019
【図１９】
0005845986.tif 000020
【図２０】
0005845986.tif 000021
【図２１】
0005845986.tif 000022
【図２２】
0005845986.tif 000023
【図２３】
0005845986.tif 000024
【図２４】
0005845986.tif 000025
【図２５】
0005845986.tif 000026
【図２６】
0005845986.tif 000027
【図２７】
0005845986.tif 000028
【図２８】
0005845986.tif 000029
【図２９】
0005845986.tif 000030
【図３０】
0005845986.tif 000031
【図３１】
0005845986.tif 000032
【図３２】
0005845986.tif 000033
【図３３】
0005845986.tif 000034
【図３４】
0005845986.tif 000035
【図３５】
0005845986.tif 000036
【図３６】
0005845986.tif 000037
【図３７】
0005845986.tif 000038
【図３８】
0005845986.tif 000039
【図３９】
0005845986.tif 000040
【図４０】
0005845986.tif 000041
【図４１】
0005845986.tif 000042
【図４２】
0005845986.tif 000043
【図４３】
0005845986.tif 000044
【図４４】
0005845986.tif 000045
【図４５】
0005845986.tif 000046
【図４６】
0005845986.tif 000047
【図４７】
0005845986.tif 000048
【図４８】
0005845986.tif 000049
【図４９】
0005845986.tif 000050
【図５０】
0005845986.tif 000051
【図５１】
0005845986.tif 000052